(57)【要約】  表示装置が表示する３次元映像のフレーム画像の切り換えが行われる間における前記フレーム画像が表示されない非表示期間のタイミングに関するタイミング情報を取得する取得部と、前記タイミング情報に基づき、前記非表示期間に同期して、前記表示装置が置かれた空間を照明する光源を点灯させ、前記フレーム画像が表示される表示期間に同期して、前記光源を消灯させる制御部と、を備えることを特徴とする照明制御装置。
2011108287.tif 000002
【特許請求の範囲】
【請求項１】
表示装置が表示する３次元映像のフレーム画像の切り換えが行われる間における前記フレーム画像が表示されない非表示期間のタイミングに関するタイミング情報を取得する取得部と、
前記タイミング情報に基づき、前記非表示期間に同期して、前記表示装置が置かれた空間を照明する光源を点灯させ、前記フレーム画像が表示される表示期間に同期して、前記光源を消灯させる制御部と、を備えることを特徴とする照明制御装置。
【請求項２】
前記取得部は、前記フレーム画像の表示に同期する同期信号を受信する受信部を含み、
前記制御部は、前記同期信号に基づき、前記光源を消灯させる第１期間と、前記光源を点灯させる第２期間と、を決定することを特徴とする請求項１記載の照明制御装置。
【請求項３】
前記受信部は、１フレーム画像当たりの表示時間に関する第１情報を含む第１信号を受信し、
前記制御部は、前記受信部が前記同期信号を受信してから前記１フレーム画像当たりの表示時間が経過するまでの期間を前記第１期間として決定し、該第１期間中に前記光源を消灯させることを特徴とする請求項２記載の照明制御装置。
【請求項４】
前記制御部は、前記１フレーム画像当たりの表示時間が経過した後、前記受信部が次の同期信号を受信するまでの期間を前記第２期間として決定し、該第２期間中に前記光源を点灯させることを特徴とする請求項３記載の照明制御装置。
【請求項５】
前記受信部は、前記３次元映像のフレームレートに関する第２情報を含む第２信号を受信し、
前記制御部は、前記同期信号及び前記第２情報に基づき、前記第１期間及び前記第２期間を決定し、前記第１期間中に前記光源を消灯させ、前記第２期間中に前記光源を点灯させるように前記光源を制御することを特徴とする請求項２記載の照明制御装置。
【請求項６】
前記同期信号は、１フレーム画像当たりの表示時間に関する第１情報を含み、
前記制御部は、前記受信部が前記同期信号を受信してから前記１フレーム画像当たりの表示時間が経過するまでの期間を前記第１期間として決定し、該第１期間中に前記光源を消灯させることを特徴とする請求項２記載の照明制御装置。
【請求項７】
前記同期信号は、前記１フレーム画像当たりの表示期間が経過した後、次のフレーム画像の表示が開始されるまでの時間に関する情報を含み、
前記制御部は、前記１フレーム画像当たりの表示期間が終了してから前記次のフレーム画像の表示が開始されるまでの時間を前記第２期間として決定し、該第２期間中に前記光源を点灯することを特徴とする請求項２又は６記載の照明制御装置。
【請求項８】
前記同期信号は、前記フレーム画像の表示の開始に同期する第１同期信号と、前記フレーム画像の表示の終了に同期する第２同期信号と、を含み、
前記制御部は、前記受信部が前記第１同期信号を受信してから前記第２同期信号を受信するまでの期間を前記第１期間として決定し、該第１期間中に前記光源を消灯させることを特徴とする請求項２記載の照明制御装置。
【請求項９】
前記制御部は、前記受信部が前記第２同期信号を受信してから次の第１同期信号を受信するまでの期間を前記第２期間として決定し、該第２期間中に、前記光源を点灯させることを特徴とする請求項８記載の照明制御装置。
【請求項１０】
前記受信部は、前記表示装置が表示する前記３次元映像を、前記視聴者に３次元的に知覚させる光学フィルタ部を含む眼鏡装置から、前記フレーム画像の表示の開始に同期して視聴者の眼へ透過する光量を増大させるとともに、前記フレーム画像の表示の終了に同期して前記光量を減少させる立体視補助動作を行う前記光学フィルタ部が前記光量を減少させるタイミングに関する第３情報を含む第３信号を受信し、
前記制御部は、前記同期信号を受信してから前記第３信号を受信するまでの期間を前記第１期間として決定し、該第１期間中に前記光源を消灯させることを特徴とする請求項２記載の照明制御装置。
【請求項１１】
前記制御部は、前記第３信号を受信してから次の同期信号を受信するまでの期間を前記第２期間として決定し、該第２期間中に前記光源を点灯することを特徴とする請求項１０記載の照明制御装置。
【請求項１２】
前記取得部は、前記３次元映像を表示する前記表示装置の表示部の輝度を検出する検出部を含み、
前記制御部は、前記表示部の輝度が、該輝度に対して定められた閾値より高い期間を、前記光源を消灯させる第１期間と決定し、前記表示部の輝度が前記閾値より低い期間を、前記光源を点灯させる第２期間と決定することを特徴とする請求項１記載の照明制御装置。
【請求項１３】
前記取得部は、前記第２期間の長さに対する前記視聴者の要求に関する第４情報を含む第４信号を受信する要求受信部を含み、
前記制御部は、前記第４情報に基づき、前記光源の点灯時間の長さを調整することを特徴とする請求項２乃至１２いずれか１項に記載の照明制御装置。
【請求項１４】
前記取得部は、前記同期信号を受信してから前記第２期間が開始するまでの長さに対する視聴者の要求に関する第５情報を含む第５信号を受信する要求受信部を含み、
前記制御部は、前記第５情報に基づき、前記光源の点灯が開始するタイミングを調整することを特徴とする請求項２乃至１２いずれか１項に記載の照明制御装置。
【請求項１５】
３次元映像を表示する表示装置が置かれた空間を照明する光源と、
請求項１乃至１４いずれか１項に記載の照明制御装置と、を備えることを特徴とする照明装置。
【請求項１６】
３次元映像を表示する表示部を備える表示装置と、
請求項１５に記載の照明装置と、を備えることを特徴とする照明システム。
【請求項１７】
３次元映像を表示する表示部と、
前記３次元映像のフレーム画像の切り換えが行われる間における前記フレーム画像が表示されない非表示期間に同期して、前記表示装置が置かれた空間を照明する光源を点灯させ、前記フレーム画像が表示される表示期間に同期して、前記光源を消灯させるように制御するための同期信号を請求項１乃至請求項１４いずれか１項に記載の照明制御装置に送信する第１送信部と、を備えることを特徴とする表示装置。
【請求項１８】
表示装置が表示する３次元映像のフレーム画像の表示に同期して、視聴者の眼へ透過する光量を調整し、前記３次元映像を視聴者に３次元的に知覚させる立体視補助動作を行う光学フィルタ部を備え、
請求項１乃至１４いずれか１項に記載の照明制御装置が、前記光源を消灯させるタイミングに同期して、前記光学フィルタ部は、前記視聴者の前記眼へ透過する前記光量を増大させることを特徴とする眼鏡装置。
【発明の詳細な説明】
【技術分野】
【０００１】
本発明は、３次元映像を視聴する視聴者及びその他の使用者に好適な照明環境を与えることができる照明制御装置、照明制御装置を用いる照明装置及び照明システム並びに照明制御装置とともに利用される表示装置及び眼鏡装置に関する。
【背景技術】
【０００２】
近年の映像技術の発達により、視聴者に３次元的に知覚される映像（３次元映像）を提供するための映像システムが開発されてきている。多くの場合、表示装置は、左眼で視聴されるための左眼フレーム画像と、右眼で視聴されるための右眼フレーム画像とを表示する。また、これら左眼フレーム画像及び右眼フレーム画像から表示装置に映し出される映像を立体的に知覚させる立体視補助動作を行う眼鏡装置を視聴者は着用する。眼鏡装置の立体視補助動作を通じて、視聴者は左眼フレーム画像を左眼で視聴し、右眼フレーム画像を右眼で視聴することとなる。この結果、視聴者は、表示装置が表示する映像を立体的に知覚することができる。【０００３】
特許文献１は、眼鏡装置を用いて、表示装置が表示する映像を立体的に知覚させる映像システムを開示する。特許文献１の映像システムは、映像からの光量を調整する光学シャッタと視聴者の眼との間の空間を照らす光源を有する眼鏡装置を備える。特許文献１の開示技術によれば、左眼フレーム画像が表示されている間（即ち、右眼用の光学シャッタが閉じられている間）、右眼と右眼用の光学シャッタとの間の空間を照らす光源が点灯する。また、右眼フレーム画像が表示されている間（即ち、左眼用の光学シャッタが閉じられている間）、左眼と左眼用の光学シャッタとの間の空間を照らす光源が点灯する。かくして、特許文献１の開示技術は、光学シャッタと視聴者の眼との間の空間の光量変動を抑制し、フリッカ（ちらつき）を低減する。【０００４】
一般に、映像を視聴される周囲環境は、映画館のように暗い方が好ましいことが知られている。尚、特許文献１の眼鏡装置が有する光源は、視聴者の眼の近傍に配設され、視聴者の眼と光学シャッタとの間の限定的な小空間の明暗の程度を調整するものであり、表示装置が置かれた空間のように、広い空間の明暗の程度を調整することを意図するものではない。【０００５】
表示装置が置かれた空間が暗くされることにより、視聴者の臨場感を増すことができる。更に、周囲環境とのコントラストが高まるため、映像を表示する表示装置の表示部の輝度を低減させることが可能となる。このことは、表示装置の消費電力の抑制に貢献する。【０００６】
表示装置が置かれた空間を暗くすることは、上述の如く、視聴者にとっては好ましいが、映像を視聴していない他の使用者（以下、使用者と称される）にとっては好ましいものではない。例えば、読書をしたい使用者にとっては、暗い空間は不都合である。
【先行技術文献】
【特許文献】
【０００７】
【特許文献１】実開平５−２０４８０号公報
【発明の概要】
【０００８】
本発明は、３次元映像を視聴する視聴者及びその他の使用者に好適な照明環境を与えることができる照明制御装置、照明制御装置を用いる照明装置及び照明システム並びに照明制御装置とともに利用される表示装置及び眼鏡装置を提供することを目的とする。
【０００９】
本発明の一の局面に係る照明制御装置は、表示装置が表示する３次元映像のフレーム画像の切り換えが行われる間における前記フレーム画像が表示されない非表示期間のタイミングに関するタイミング情報を取得する取得部と、前記タイミング情報に基づき、前記非表示期間に同期して、前記表示装置が置かれた空間を照明する光源を点灯させ、前記フレーム画像が表示される表示期間に同期して、前記光源を消灯させる制御部と、を備えることを特徴とする。
【００１０】
本発明の他の局面に係る照明装置は、３次元映像を表示する表示装置が置かれた空間を照明する光源と、上記の照明制御装置と、を備えることを特徴とする。
【００１１】
本発明の他の局面に係る照明システムは、３次元映像を表示する表示部を備える表示装置と、上記の照明装置と、を備えることを特徴とする。
【００１２】
本発明の他の局面に係る表示装置は、３次元映像を表示する表示部と、前記３次元映像のフレーム画像の切り換えが行われる間における前記フレーム画像が表示されない非表示期間に同期して、前記表示装置が置かれた空間を照明する光源を点灯させ、前記フレーム画像が表示される表示期間に同期して、前記光源を消灯させるように制御するための同期信号を上述の照明制御装置に送信する第１送信部と、を備えることを特徴とする。
【００１３】
本発明の他の局面に係る眼鏡装置は、表示装置が表示する３次元映像のフレーム画像の表示に同期して、視聴者の眼へ透過する光量を調整し、前記３次元映像を視聴者に３次元的に知覚させる立体視補助動作を行う光学フィルタ部を備え、上述の照明制御装置が、前記光源を消灯させるタイミングに同期して、前記光学フィルタ部は、前記視聴者の前記眼へ透過する前記光量を増大させることを特徴とする。
【図面の簡単な説明】
【００１４】
【図１】第１実施形態に係る照明システム及び眼鏡装置の概略図である。
【図２】図１に示される照明システムの表示装置、照明装置及び眼鏡装置間の同期動作を示す概略図である。
【図３】図１に示される照明システムの表示装置のハードウェア構成を概略的に示すブロック図である。
【図４】図３に示される表示装置の機能構成を概略的に示すブロック図である。
【図５】図１に示される照明システムの照明装置のハードウェア構成を概略的に示すブロック図である。
【図６】図５に示される照明装置の機能構成を概略的に示すブロック図である。
【図７】図１に示される眼鏡装置のハードウェア構成を概略的に示すブロック図である。
【図８】図７に示される眼鏡装置の機能構成を概略的に示すブロック図である。
【図９】図１に示される照明システムの明滅制御を概略的に示すタイミングチャートである。
【図１０】図１に示される眼鏡装置の立体視補助動作のための制御を概略的に示すタイミングチャートである。
【図１１】第２実施形態に係る照明システムの明滅制御を概略的に示すタイミングチャートである。
【図１２】第２実施形態に係る眼鏡装置の立体視補助動作のための制御を概略的に示すタイミングチャートである。
【図１３】第３実施形態に係る照明システムの明滅制御に用いられる同期信号の波形を例示するパターン図である。
【図１４】図１３に示される同期信号に割り当てられた情報を示す図表である。
【図１５】図１３に示される同期信号を用いた照明システムの明滅制御を概略的に示すタイミングチャートである。
【図１６】図１３に示される同期信号を用いた眼鏡装置の立体視補助動作のための制御を概略的に示すタイミングチャートである。
【図１７】第４実施形態に係る照明システムの明滅制御に用いられる同期信号に割り当てられた情報を示す図表である。
【図１８】図１７に示される同期信号を用いた照明システムの明滅制御を概略的に示すタイミングチャートである。
【図１９】図１７に示される同期信号を用いた眼鏡装置の立体視補助動作のための制御を概略的に示すタイミングチャートである。
【図２０】第５実施形態に係る照明システム及び眼鏡装置の概略図である。
【図２１】図２０に示される眼鏡装置のハードウェア構成を概略的に示すブロック図である。
【図２２】図２１に示される眼鏡装置の機能構成を概略的に示すブロック図である。
【図２３】図２０に示される眼鏡装置の立体視補助動作のための制御を概略的に示すタイミングチャートである。
【図２４】図２０に示される照明システムの明滅制御を概略的に示すタイミングチャートである。
【図２５】第６実施形態に係る照明システム及び眼鏡装置の概略図である。
【図２６】図２５に示される照明システムの表示装置のハードウェア構成を概略的に示すブロック図である。
【図２７】図２６に示される表示装置の機能構成を概略的に示すブロック図である。
【図２８】図２５に示される照明システムの明滅制御を概略的に示すタイミングチャートである。
【図２９】第７実施形態に係る照明システム及び眼鏡装置の概略図である。
【図３０】図２９に示される照明システムの照明装置のハードウェア構成を概略的に示すブロック図である。
【図３１】図３０に示される照明装置の機能構成を概略的に示すブロック図である。
【図３２】図２９に示される照明システムの明滅制御及び眼鏡装置の立体視補助動作のための制御を概略的に示すタイミングチャートである。
【図３３】第８実施形態に係る照明システムの明滅制御及び眼鏡装置の立体視補助動作のための制御を概略的に示すタイミングチャートである。
【発明を実施するための形態】
【００１５】
以下、一実施形態にしたがう照明制御装置、照明装置、照明システム、表示装置及び眼鏡装置が図面を用いて説明される。尚、図面に示される構成、配置或いは形状並びに図面に関連する記載は、単に、照明制御装置、照明装置、照明システム、表示装置及び眼鏡装置の原理を容易に理解させることを目的とするものであり、これらの原理を何ら限定するものではない。
【００１６】
（第１実施形態）
図１は、第１実施形態に係る照明システム及び眼鏡装置を概略的に示す。図１に示される照明システムの照明装置には、照明制御装置が組み込まれている。また、眼鏡装置は、照明システムの表示装置が表示する３次元映像の視聴を補助するために用いられる。
【００１７】
照明システム１Ａは、照明装置２Ａと表示装置３Ａとを含む。照明装置２Ａは、表示装置３Ａが配置された空間Ｒを照明する。図１に示される照明装置２Ａは、空間Ｒを形成する天井に取り付けられているが、側壁面や床面に取り付けられてもよい。照明装置２Ａは、空間Ｒを照明する光源２１を含む。光源２１は、照明装置２Ａに組み込まれた照明制御装置の制御下で、表示装置３Ａが表示する３次元映像のフレーム画像の切り換えに同期して点灯し、フレーム画像の表示に同期して消灯する。本実施形態において、光源２１として、ＬＥＤ（Light Emitting Diode）が好適に用いられる。代替的に、表示装置３Ａのフレームレートに追従して明滅することができる他の発光素子が光源２１として用いられてもよい。
【００１８】
表示装置３Ａは、３次元映像を表示する表示部として用いられる表示パネル３１を含む。表示パネル３１として、例えば、ＣＲＴディスプレイ、液晶ディスプレイ、ＰＤＰ（プラズマディスプレイパネル）、有機エレクトロルミネッセンスディスプレイや映像を表示可能な他の装置が好適に使用される。表示パネル３１に表示される映像は、左眼で視認されるように撮像或いは描写された左眼フレーム画像と、右眼で視認されるように撮像或いは描写された右眼フレーム画像とを含む。本実施形態において、左眼フレーム画像及び右眼フレーム画像は、表示パネル３１に交互に表示される。
【００１９】
眼鏡装置４Ａは、視聴者が左眼で左眼フレーム画像を視聴し、右眼で右眼フレーム画像を視聴するように立体視補助動作を実行する。この結果、視聴者は、表示パネル３１上に表示された映像を３次元的（立体的）に知覚することとなる。映像が立体的に知覚されるとき、左眼フレーム画像及び右眼フレーム画像中のオブジェクト（左眼フレーム画像及び右眼フレーム画像中に描かれた物体の像）は、表示パネル３１の平坦な面から飛び出たように或いは引っ込んだように知覚されることとなる。
【００２０】
眼鏡装置４Ａは、全体として、視力矯正用の眼鏡と同様の形状をなす。眼鏡装置４Ａは、眼鏡装置４Ａを着用した視聴者の左眼前に配置される左眼フィルタ４１と、右眼前に配置される右眼フィルタ４２と、を含む光学フィルタ部４３を備える。左眼フィルタ４１及び右眼フィルタ４２は、視聴者の左眼及び右眼へ透過する光の量を調整可能に形成される光学素子である。したがって、左眼フィルタ４１及び右眼フィルタ４２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や透過光量を調整可能な他の光学素子が好適に用いられる。表示パネル３１に左眼フレーム画像が表示されているとき、光学フィルタ部４３は、左眼フィルタ４１を通じて左眼へ到達する光量を増大させる一方で、右眼フィルタ４２を通じて右眼へ到達する光量を減少させる。また、表示パネル３１に右眼フレーム画像が表示されているとき、光学フィルタ部４３は、右眼フィルタ４２を通じて右眼へ到達する光量を増大させる一方で、左眼フィルタ４１を通じて左眼へ到達する光量を減少させる。かくして、視聴者は、光学フィルタ部４３による上述の立体視補助動作を通じて、左眼で左眼フレーム画像を視聴し、右眼で右眼フレーム画像を視聴することができ、表示パネル３１に表示された３次元映像を、３次元的に知覚することができる。
【００２１】
図２は、表示装置３Ａ、照明装置２Ａ及び眼鏡装置４Ａの動作を概略的に示す。図１及び図２を用いて、表示装置３Ａ、照明装置２Ａ及び眼鏡装置４Ａの動作の相互関係が説明される。
【００２２】
表示装置３Ａの表示パネル３１は、左眼フレーム画像ＦＬと右眼フレーム画像ＦＲを交互に表示する。以下の説明において、左眼フレーム画像ＦＬ又は右眼フレーム画像ＦＲされている期間は、便宜的に、表示期間と称される。左眼フレーム画像ＦＬと右眼フレーム画像ＦＲとが切り換えられる間は、フレーム画像ＦＬ，ＦＲが表示されない非表示期間であり、表示パネル３１は、フレーム画像ＦＬ，ＦＲを一時的に表示せず、表示パネル３１の輝度が低減する。
【００２３】
左眼フレーム画像ＦＬ又は右眼フレーム画像ＦＲが表示パネル３１に表示されている間、照明装置２Ａの光源２１は消灯されている。左眼フレーム画像ＦＬと右眼フレーム画像ＦＲとが切り換えられる間（即ち、表示パネル３１にフレーム画像ＦＬ，ＦＲが表示されていない非表示期間）、光源２１は点灯される。
【００２４】
左眼フレーム画像ＦＬが表示パネル３１に表示されている間、光学フィルタ部４３は、左眼フィルタ４１を通じて左眼へ到達する光量を増大させる一方で、右眼フィルタ４２を通じて右眼へ到達する光量を減少させる。また、表示パネル３１に右眼フレーム画像ＦＲが表示されている間、光学フィルタ部４３は、右眼フィルタ４２を通じて右眼へ到達する光量を増大させる一方で、左眼フィルタ４１を通じて左眼へ到達する光量を減少させる。左眼フレーム画像ＦＬと右眼フレーム画像ＦＲとが切り換えられる間（即ち、表示パネル３１にフレーム画像が表示されていない非表示期間）、光学フィルタ部４３は、左眼フィルタ４１及び右眼フィルタ４２を透過する光量をともに減少させる。
【００２５】
図１に示されるように、表示装置３Ａは、矩形状の表示パネル３１の周縁を取り囲むように形成された筐体３２の上縁上に配設された送信素子３３を備える。送信素子３３は、表示パネル３１上での左眼フレーム画像ＦＬ及び右眼フレーム画像ＦＲの表示に同期して、同期信号を送信する第１送信部として用いられる。送信素子３３として、例えば、ＲＦ送信機、赤外線発光素子や同期信号を送信可能な他の任意の要素が好適に用いられる。
【００２６】
照明装置２Ａは、光源２１を支持するとともに空間Ｒの天井に取り付けられる筐体２２の外面に露出した受信素子２３を含む。受信素子２３は、送信素子３３からの同期信号を受信する受信部として用いられる。送信素子３３として、ＲＦ送信機が用いられるとき、受信素子２３として、ＲＦ受信機が好適に用いられる。送信素子３３として、赤外線発光素子が用いられるとき、受信素子２３として、赤外線受光素子が好適に用いられる。代替的に、送信素子３３が送信する同期信号を受信可能な任意の要素が、受信素子２３として用いられてもよい。本実施形態において、同期信号は、図２に関連して説明された左眼フレーム画像ＦＬと右眼フレーム画像ＦＲとの間の切り換えが行われる間の非表示期間のタイミングに関するタイミング情報を照明装置２Ａに組み込まれた照明制御装置に伝達する信号として用いられる。受信素子２３は、左眼フレーム画像ＦＬと右眼フレーム画像ＦＲとの間の切り換えが行われる間の非表示期間のタイミングに関するタイミング情報を取得する取得部として用いられる。
【００２７】
眼鏡装置４Ａは、左眼フィルタ４１と右眼フィルタ４２との間に配設された受信素子４４を含む。受信素子４４は、照明装置２Ａの受信素子２３と同様に、同期信号の受信部として用いられる。上述の３次元映像のフレーム画像ＦＬ，ＦＲの表示と光学フィルタ部４３の立体視補助動作との間の同期は、受信素子４４が送信素子３３から同期信号を受信することにより達成される。送信素子３３として、ＲＦ送信機が用いられるとき、受信素子４４として、ＲＦ受信機が好適に用いられる。送信素子３３として、赤外線発光素子が用いられるとき、受信素子４４として、赤外線受光素子が好適に用いられる。代替的に、送信素子３３が送信する同期信号を受信可能な任意の要素が、受信素子４４として用いられてもよい。
【００２８】
図３は、表示装置３Ａのハードウェア構成を概略的に示すブロック図である。図１乃至図３を用いて、表示装置３Ａが説明される。
【００２９】
表示装置３Ａは、上述の表示パネル３１及び送信素子３３に加えて、復号化ＩＣ３４、映像信号処理ＩＣ３５、送信制御ＩＣ３６、ＣＰＵ３７、メモリ３８及びクロック３９を備える。
【００３０】
本実施形態において、再生装置５は、３次元映像のコンテンツデータを再生し、３次元映像の映像信号を表示装置３Ａに供給する。代替的に、インターネット、放送波を送信する放送設備や他の外部装置を通じて、３次元映像の映像信号が表示装置３Ａに供給されてもよい。再生装置５は、コンテンツデータを再生し、符号化された映像信号やコンテンツデータのヘッダに含まれる情報（例えば、フレームレートや１フレーム画像当たりの表示時間に関する情報）を表示装置３Ａの復号化ＩＣ３４に入力する。復号化ＩＣ３４は、映像信号を復号化して映像データを所定の様式で出力する。映像信号は、ＭＰＥＧ（Motion Picture Experts Group）−２、ＭＰＥＧ−４やＨ２６４といった方式に従って符号化されてもよい。また、復号化ＩＣ３４は、上述のコンテンツデータのヘッダに含まれる情報も併せて出力する。
【００３１】
映像信号処理ＩＣ３５は、３次元映像の表示に関する信号処理を行う。映像信号処理ＩＣ３５は、映像信号の処理を実行し、復号化ＩＣ３４からの映像データを３次元映像として表示する。特定の実施形態において、映像信号処理ＩＣ３５は、復号化ＩＣ３４で復号された映像データから左眼フレーム画像ＦＬと右眼フレーム画像ＦＲとを検出する。検出された左眼フレーム画像ＦＬ及び右眼フレーム画像ＦＲは、表示パネル３１に時間的に交互に表示される。代替的に、復号化ＩＣ３４が出力した映像データから左眼フレーム画像ＦＬと右眼フレーム画像ＦＲとが自動的に生成されてもよい。映像信号処理ＩＣ３５は、生成された左眼フレーム画像ＦＬと右眼フレーム画像ＦＲとを表示パネル３１に交互に出力する。３次元映像の表示に関する信号処理を行なった後、映像信号処理ＩＣ３５は、表示パネル３１の信号入力方式に適合した出力信号を生成する。
【００３２】
尚、映像信号処理ＩＣ３５は、上記の処理以外の処理を実行してもよい。例えば、表示パネル３１の特性に応じて、表示する映像の色彩を調整する処理や復号化ＩＣ３４で生成された映像データのフレーム間の映像を補間してもよい。この結果、映像信号処理ＩＣ３５は、映像のフレームレートを増大させることができる。
【００３３】
映像信号処理ＩＣ３５は、更に、コンテンツデータのヘッダに含まれるフレームレートや１フレーム画像当たりの表示時間に関する情報や映像信号処理ＩＣ３５によってなされた映像データに対する補間処理に基づき、表示パネル３１に表示される映像のフレームレートや表示パネル３１に表示される１フレーム画像ＦＬ，ＦＲ当たりの表示時間といった情報を送信制御ＩＣ３６に出力してもよい。
【００３４】
送信制御ＩＣ３６は、映像信号処理ＩＣ３５が生成した左眼フレーム画像ＦＬ及び右眼フレーム画像ＦＲと同期する同期信号を生成する。その後、送信制御ＩＣ３６は、生成された同期信号を送信素子３３へ出力する。
【００３５】
送信制御ＩＣ３６は、映像信号処理ＩＣ３５から出力された他の情報（例えば、表示パネル３１に表示される３次元映像のフレームレートや表示パネル３１に表示される１フレーム画像ＦＬ，ＦＲ当たりの表示時間といった情報）を照明装置２Ａに組み込まれた照明制御装置へ通知するための信号を送信素子３３へ出力してもよい。
【００３６】
ＣＰＵ３７は、例えば、メモリ３８に記録されたプログラム及び外部からの入力（図示せず）に従って、表示装置３Ａの様々な要素（例えば、復号化ＩＣ３４や映像信号処理ＩＣ３５）を制御する。この結果、ＣＰＵ３７は、表示装置３Ａ全体の制御を司ることとなる。
【００３７】
メモリ３８は、ＣＰＵ３７が実行するプログラムやプログラム実行時に発生する一時データを記録する領域として利用される。メモリ３８として、揮発性のＲＡＭ（Random Access Memory）や不揮発性のＲＯＭ（Read Only
Memory）を利用することができる。
【００３８】
クロック３９は、ＣＰＵ３７や他の構成部品へ各ＩＣ等の動作基準となるクロック信号を供給する。
【００３９】
表示パネル３１には、映像信号処理ＩＣ３５から出力された映像信号（左眼フレーム画像ＦＬ及び右眼フレーム画像ＦＲ）が表示される。眼鏡装置４Ａを着用した視聴者は、眼鏡装置４Ａの立体視補助動作を通じて、表示パネル３１に表示されるフレーム画像を３次元的に知覚することとなる。
【００４０】
送信素子３３は、送信制御ＩＣ３６による制御の下、同期信号を照明装置２Ａに組み込まれた照明制御装置及び眼鏡装置４Ａへ出力する。同期信号に基づいて、照明装置２Ａの光源２１は、図２に関連して説明された如く、明滅する。また、眼鏡装置４Ａは、同期信号に基づいて、タイミング信号を生成し、生成されたタイミング信号に基づいて、図２に関連して説明されたような光学フィルタ部４３の立体視補助動作を実行する。
【００４１】
図４は、表示装置３Ａの機能構成を概略的に示すブロック図である。図１乃至図４を用いて、表示装置３Ａが更に説明される。
【００４２】
表示装置３Ａは、復号化部３４０、Ｌ／Ｒ信号分離部３５１、立体信号処理部３５２、表示部３１０、信号生成部３５３、第１送信制御部３６０及び第１送信部３３０を備える。
【００４３】
復号化部３４０は、図３に関連して説明された復号化ＩＣ３４に相当し、符号化された映像信号が入力される。復号化部３４０は、入力された映像信号を復号するとともに復号された映像信号をＬ／Ｒ信号分離部３５１へ出力する。また、復号化部３４０は、再生されたコンテンツデータのヘッダに含まれるフレームレートや１フレーム画像ＦＬ，ＦＲ当たりの表示時間といった情報を、Ｌ／Ｒ信号分離部３５１を介して、信号生成部３５３へ出力する。
【００４４】
Ｌ／Ｒ信号分離部３５１は、復号化部３４０が復号した映像信号から左眼用と右眼用の映像信号（左眼フレーム画像ＦＬ及び右眼フレーム画像ＦＲの表示に用いられる映像信号）を生成若しくは分離する。
【００４５】
立体信号処理部３５２は、眼鏡装置４Ａを通じて視認される映像を表示する表示部３１０の特性に応じて、Ｌ／Ｒ信号分離部３５１で分離された左眼用及び右眼用の映像信号を調整する。例えば、立体信号処理部３５２は、表示部３１０の表示面の大きさに応じて、左眼フレーム画像ＦＬと右眼フレーム画像ＦＲとの間の視差量を調整する処理を実行する。尚、表示部３１０は、図１に例示される表示パネル３１に相当する。
【００４６】
信号生成部３５３は、Ｌ／Ｒ信号分離部３５１が生成した左眼フレーム画像ＦＬ及び右眼フレーム画像ＦＲと同期又は対応した同期信号を生成する。この際、表示部３１０の特性に応じて、生成される同期信号の種類（例えば、波形）や生成タイミングが調整されてもよい。信号生成部３５３は更に、再生されたコンテンツデータのヘッダに含まれる１フレーム画像ＦＬ，ＦＲ当たりの表示時間に関する情報、及び／又は、Ｌ／Ｒ信号分離部３５１や立体信号処理部３５２によってなされる映像信号処理、及び／又は、表示部３１０の特性に基づき、表示部３１０の表示される１フレーム画像ＦＬ，ＦＲ当たりの表示時間に関する情報を、照明装置２Ａに組み込まれた照明制御装置に伝達するための第１信号を生成してもよい。代替的に、信号生成部３５３は、再生されたコンテンツデータのヘッダに含まれるフレームレートに関する情報、及び／又は、Ｌ／Ｒ信号分離部３５１や立体信号処理部３５２によってなされる映像信号処理、及び／又は、表示部３１０の特性に基づき、表示部３１０の表示される３次元映像のフレームレートに関する情報を照明装置２Ａに組み込まれた照明制御装置に伝達するための第２信号を生成してもよい。第１信号及び／又は第２信号の波形は、同期信号の波形と異なることが好ましい。
【００４７】
Ｌ／Ｒ信号分離部３５１及び立体信号処理部３５２は、図３に関連して説明されたハードウェア構成において、映像信号処理ＩＣ３５に該当する。また、信号生成部３５３は、図３に関連して説明されたハードウェア構成において、映像信号処理ＩＣ３５及び／又は送信制御ＩＣ３６に該当する。
【００４８】
表示部３１０は、立体信号処理部３５２によって処理された映像信号を映像として表示する。上述の如く、図３に関連して説明されたハードウェア構成において、表示部３１０は、表示パネル３１に該当する。
【００４９】
第１送信部３３０は、信号生成部３５３で生成された同期信号を、第１送信制御部３６０の制御下で、眼鏡装置４Ａへ送信する。第１送信部３３０は、図３に関連して説明されたハードウェア構成において、送信素子３３に該当する。
【００５０】
第１送信制御部３６０は、送信される同期信号のデータ量や、同期信号の送信間隔を制御する。第１送信制御部３６０は、図３に関連して説明されたハードウェア構成において、送信制御ＩＣ３６に該当する。
【００５１】
図５は、照明装置２Ａ及び照明装置２Ａに組み込まれた照明制御装置のハードウェア構成を概略的に示すブロック図である。図１乃至図３並びに図５を用いて、照明装置２Ａ及び照明装置２Ａに組み込まれた照明制御装置が説明される。
【００５２】
照明装置２Ａは、上述の如く、光源２１及び照明制御装置２０Ａを含む。照明制御装置２０Ａは、ＣＰＵ２４、メモリ２５、クロック２６及び受信素子２３を含む。
【００５３】
ＣＰＵ２４は、例えば、メモリ２５に記録されたプログラム、表示装置３Ａの送信素子３３から送信される同期信号、第１信号、第２信号、表示パネル３１の輝度に関する情報を含む輝度信号やリモートコントローラといった任意の外部装置から送信される信号に従って、照明装置２Ａ全体を制御する。以下に詳述される特定の実施形態において、ＣＰＵ２４は、眼鏡装置４Ａやリモートコントローラからの信号に従って、照明装置２Ａを制御する。
【００５４】
メモリ２５は、ＣＰＵ２４が実行するプログラムのデータの記録や、プログラム実行時の一時データを保持する場所として用いられる。メモリ２５は更に、表示装置３Ａの送信素子３３から送信される同期信号、第１信号や第２信号に含まれる情報を格納してもよい。
【００５５】
クロック２６は、照明装置２ＡのＣＰＵ２４や他の要素へ、動作の基準となるクロック信号を供給する。クロック信号は、必要に応じて分周、逓倍したものであってもよい。
【００５６】
受信素子２３は、上述の如く、表示装置３Ａの送信素子３３からの同期信号、第１信号、第２信号や輝度信号を受信する。以下に詳述される特定の実施形態において、受信素子２３は、眼鏡装置４Ａからの信号を受信する。
【００５７】
光源２１は、表示装置３Ａが置かれた空間Ｒを照明する。光源２１は、ＣＰＵ２４の制御下で、図２に関連して説明された如く、表示パネル３１に表示される３次元映像のフレーム画像ＦＬ，ＦＲの切り換え及び表示に同期して、明滅を繰り返す。この結果、光源２１は、表示パネル３１に表示されるフレーム画像ＦＬ，ＦＲを視聴している間、暗い環境を空間Ｒに作り出し、左眼フレーム画像ＦＬと右眼フレーム画像ＦＲとの間での切り換えが生じている間、明るい環境を空間Ｒに作り出すこととなる。かくして、視聴者に対して、３次元映像を視聴するのに好適な環境が提供されると同時に、３次元映像を視聴していない他の使用者にとっては、３次元映像の視聴以外の他の行動を行なうのに十分な明るい環境が提供されることとなる。上述の如く、光源２１として、例えば、ＬＥＤが好適に使用される。
【００５８】
図６は、照明装置２Ａの機能構成を概略的に示すブロック図である。図１及び図２並びに図４乃至図６を用いて、照明装置２Ａが更に説明される。
【００５９】
照明装置２Ａは、上述の光源２１に加えて、第１受信部２３０、第１解析部２４１、第１記憶部２５０、第１生成部２４２及び光源制御部２４３を備える。
【００６０】
第１受信部２３０は、上述の如く、表示装置３Ａの第１送信部３３０からの同期信号、第１信号や第２信号を受信する。図５に示されるハードウェア構成において、第１受信部２３０は、受信素子２３に該当する。
【００６１】
第１解析部２４１は、第１受信部２３０が受信した同期信号、第１信号や第２信号が含む情報を解析する。例えば、第１解析部２４１は、第１受信部２３０が受信した信号の波形に基づき、第１受信部２３０が受信した信号が同期信号であるか、第１信号であるか、第２信号であるかを識別してもよい。また、第１解析部２４１は、例えば、同期信号の波形から、同期信号が、表示部３１０に表示されるフレーム画像ＦＬ，ＦＲの表示の開始を表す信号であるのか或いは表示部３１０に表示されるフレーム画像ＦＬ，ＦＲの表示の終了を表す信号であるのかを識別してもよい。第１解析部２４１は更に、例えば、第１信号の波形から、第１信号が含む情報（即ち、表示部３１０の表示される１フレーム画像ＦＬ，ＦＲ当たりの表示時間に関する情報）を抽出及び／又は解析してもよい。代替的に及び／又は追加的に、第１解析部２４１は、例えば、第２信号の波形から、第２信号が含む情報（即ち、表示部３１０の表示される３次元映像のフレームレートに関する情報）を抽出及び／又は解析してもよい。以下に詳述される他の特定の実施形態において、第１解析部２４１は、眼鏡装置４Ａから送信される信号に基づき、左眼フィルタ４１又は右眼フィルタ４２を透過する光量が減少するタイミングを解析する。以下に詳述される他の特定の実施形態において、第１解析部２４１は、表示部３１０の輝度の変動に基づき、非表示期間のタイミングを解析する。第１解析部２４１によって、同期信号、第１信号及び／又は第２信号、表示部３１０の輝度、眼鏡装置４Ａからの信号から得られた情報は、表示装置３Ａの表示部３１０が表示する３次元映像のフレーム画像の切り換え及び／又は表示のタイミングに関するタイミング情報として用いられる。以下に詳述される特定の実施形態において、リモートコントローラから空間Ｒの明暗の程度に対する視聴者の要求を表す信号が送信される。第１解析部２４１は、リモートコントローラからの信号をタイミング情報として用いてもよい。
【００６２】
第１解析部２４１は、図５に示されるハードウェア構成において、ＣＰＵ２４が実行するプログラムの一部に該当する。
【００６３】
第１記憶部２５０は、上述の如く、第１解析部２４１が同期信号、第１信号、第２信号や上述の他の様々な信号に基づいて、取得されたタイミング情報を記録・保持する。図５に示されるハードウェア構成において、第１記憶部２５０は、メモリ２５に該当する。ＣＰＵ２４は、タイミング情報をメモリ２５に記録する。
【００６４】
第１生成部２４２は、第１解析部２４１によって解析されたタイミング情報に基づいて、光源２１を明滅させるためのオン信号及びオフ信号を生成する。例えば、第１生成部２４２は、図２に関連して説明された如く、左眼フレーム画像ＦＬの表示終了に同期して、光源２１を点灯させるためのオン信号を生成する。また、第１生成部２４２は、右眼フレーム画像ＦＲの表示開始に同期して、光源２１を消灯させるためのオフ信号を生成する。同様に、第１生成部２４２は、右眼フレーム画像ＦＲの表示終了に同期して、光源２１を点灯させるためのオン信号を生成する。また、第１生成部２４２は、左眼フレーム画像ＦＬの表示開始に同期して、光源２１を消灯させるためのオフ信号を生成する。第１生成部２４２は、図５に示されるハードウェア構成において、ＣＰＵ２４及びクロック２６に該当する。
【００６５】
光源制御部２４３は、第１生成部２４２によって生成されたオン信号及びオフ信号にしたがって、上述の如く、光源２１を明滅させる。光源制御部２４３は、図５に示されるハードウェア構成において、ＣＰＵ２４が実行する光源制御用のプログラムに該当する。
【００６６】
光源２１は、光源制御部２４３の制御下で明滅しつつ、表示装置３Ａが置かれた空間Ｒを照明する。光源２１は、光源制御部２４３の制御下で、図２に関連して説明された如く、表示パネル３１に表示される映像のフレーム画像ＦＬ，ＦＲの切り換え及び表示に同期して、明滅を繰り返す。本実施形態において、第１解析部２４１、第１記憶部２５０、第１生成部２４２及び光源制御部２４３は、同期信号、第１信号及び／又は第２信号によって伝達されたタイミング情報に基づき、光源２１を明滅させる制御部として用いられる。
【００６７】
図７は、眼鏡装置４Ａのハードウェア構成を概略的に示すブロック図である。図１乃至図３並びに図７を用いて、眼鏡装置４Ａが説明される。
【００６８】
眼鏡装置４Ａは、上述の受信素子４４及び光学フィルタ部４３に加えて、ＣＰＵ４５、メモリ４６及びクロック４７を含む。
【００６９】
ＣＰＵ４５は、例えば、メモリ４６に記録されたプログラムや表示装置３Ａの送信素子３３から送信される同期信号に従って、眼鏡装置４Ａ全体を制御する。
【００７０】
メモリ４６は、ＣＰＵ４５が実行するプログラムのデータの記録やプログラム実行時の一時データを保持する場所として用いられる。
【００７１】
クロック４７は、眼鏡装置４ＡのＣＰＵ４５や他の要素へ、動作の基準となるクロック信号を供給する。クロック信号は、必要に応じて分周、逓倍したものであってもよい。
【００７２】
受信素子４４は、表示装置３Ａが送信素子３３から送信した同期信号、第１信号や第２信号を受信する。
【００７３】
光学フィルタ部４３は、上述の如く、眼鏡装置４Ａを着用する視聴者の左眼前に配置される左眼フィルタ４１及び右眼前に配置される右眼フィルタ４２を含む。光学フィルタ部４３の左眼フィルタ４１及び右眼フィルタ４２は、ＣＰＵ４５の制御下で、図２に関連して説明された立体視補助動作を行う。表示装置３Ａが左眼フレーム画像ＦＬを表示している間、左眼フィルタ４１は視聴者の左眼へ透過する光量を増大させる一方で、右眼フィルタ４２は視聴者の右眼へ透過する光量を減少させる。表示装置３Ａが右眼フレーム画像ＦＲを表示している間、右眼フィルタ４２は視聴者の右眼へ透過する光量を増大させる一方で、左眼フィルタ４１は視聴者の左眼へ透過する光量を減少させる。左眼フレーム画像ＦＬと右眼フレーム画像ＦＲとの間の切り換えの間（即ち、表示装置３Ａの表示パネル３１がフレーム画像ＦＬ，ＦＲを表示していない間）、左眼フィルタ４１及び右眼フィルタ４２はともに、視聴者の眼へ透過する光量を減少させる。かくして、視聴者は、表示装置３Ａの表示パネル３１に表示される３次元映像を３次元的に知覚することが可能となる。
【００７４】
図８は、眼鏡装置４Ａの機能構成を概略的に示すブロック図である。図１、図２、図４、図７及び図８を用いて、眼鏡装置４Ａが更に説明される。
【００７５】
眼鏡装置４Ａは、上述の光学フィルタ部４３に加えて、第２受信部４４０、第２解析部４５２、第２記憶部４６０、第２生成部４５３及び光学フィルタ制御部４５４を備える。
【００７６】
第２受信部４４０は、表示装置３Ａから信号を受信し、第２解析部４５２へ出力する。図７に示されるハードウェア構成においては、第２受信部４４０は、受信素子４４に該当する。
【００７７】
第２解析部４５２は、第２受信部４４０が受信した同期信号、第１信号や第２信号が含む情報を解析する。例えば、第２解析部４５２は、第２受信部４４０が受信した信号の波形に基づき、第２受信部４４０が受信した信号が同期信号であるか、第１信号であるか、第２信号であるかを識別してもよい。また、第２解析部４５２は、例えば、同期信号の波形から、同期信号が、表示部３１０に表示されるフレーム画像の表示の開始を表す信号であるのか或いは表示部３１０に表示されるフレーム画像の表示の終了を表す信号であるのかを識別してもよい。第２解析部４５２は更に、例えば、第１信号の波形から、第１信号が含む情報（即ち、表示部３１０の表示される１フレーム画像ＦＬ，ＦＲ当たりの表示時間に関する情報）を抽出及び／又は解析してもよい。代替的に及び／又は追加的に、第２解析部４５２は、例えば、第２信号の波形から、第２信号が含む情報（即ち、表示部３１０の表示される３次元映像のフレームレートに関する情報）を抽出及び／又は解析してもよい。第２解析部４５２によって、同期信号、第１信号及び／又は第２信号から得られた情報は、光学フィルタ部４３に、図２に関連して説明された立体視補助動作をさせるための制御情報として用いられる。
【００７８】
第２解析部４５２は、図７に示されるハードウェア構成において、ＣＰＵ４５が実行するプログラムの一部に該当する。
【００７９】
第２記憶部４６０は、第２解析部４５２が同期信号に基づいて解析した制御情報を記録・保持する。図７に示されるハードウェア構成において、第２記憶部４６０は、メモリ４６に該当する。ＣＰＵ４５は、制御情報をメモリ４６に記録する。
【００８０】
第２生成部４５３は、第２解析部４５２が解析した同期情報に基づいて、タイミング信号を生成する。第２生成部４５３は、図７に示されるハードウェア構成において、ＣＰＵ４５とクロック４７に該当する。
【００８１】
光学フィルタ制御部４５４は、眼鏡装置４Ａの左眼フィルタ４１及び右眼フィルタ４２の動作制御（図２に関連して説明された立体視補助動作を実行させる制御）を行なう。光学フィルタ制御部４５４は、図７に示されるハードウェア構成において、ＣＰＵ４５が実行する光学フィルタ制御用のプログラムに該当する。
【００８２】
光学フィルタ部４３は、上述の如く、光学フィルタ制御部４５４の制御下で立体視補助動作を実行し、表示装置３Ａが表示する３次元映像を視聴者に３次元的に知覚させる。
【００８３】
図９は、照明制御装置２０Ａが行う光源２１に対する明滅制御を概略的に示すタイミングチャートである。図９のセクション（Ａ）は、第１受信部２３０が受信する信号を示す。図９のセクション（Ｂ）は、表示部３１０の輝度を示す。図９のセクション（Ｃ）は、第１生成部２４２が生成するオン・オフ信号を示す。図９のセクション（Ｄ）は、光源２１の輝度を示す。図１、図２、図４、図６及び図９を用いて、光源２１に対する明滅制御が説明される。
【００８４】
本実施形態において、表示装置３Ａの信号生成部３５３は、第１信号７１、左眼フレーム画像ＦＬの表示の開始に同期する第１同期信号７２Ｌ及び右眼フレーム画像ＦＲの表示の開始に同期する第１同期信号７２Ｒを生成する。上述の如く、第１信号７１は、１フレーム画像ＦＬ，ＦＲ当たりの表示時間Ｔ１に関する第１情報を含む。第１信号７１、左眼フレーム画像ＦＬの表示の開始に同期する第１同期信号７２Ｌ及び右眼フレーム画像ＦＲの表示の開始に同期する第１同期信号７２Ｒは、互いに異なる波形を有することが好ましい。第１送信部３３０は、第１送信制御部３６０の制御下で、第１信号７１及び第１同期信号７２Ｌ，７２Ｒを送信する。
【００８５】
照明制御装置２０Ａの第１受信部２３０は、第１信号７１、左眼フレーム画像ＦＬの表示の開始に同期する第１同期信号７２Ｌ及び右眼フレーム画像ＦＲの表示の開始に同期する第１同期信号７２Ｒを受信する。第１解析部２４１は、第１信号７１から１フレーム画像ＦＬ，ＦＲ当たりの表示時間Ｔ１に関する情報を抽出する。また、第１同期信号７２Ｌ，７２Ｒの受信時刻ｔｒを測定する。
【００８６】
第１解析部２４１は更に、受信時刻ｔｒに表示時間Ｔ１を加算し、光源２１を点灯させるためのオン信号７３を生成する時刻ｔｂを算出する。また、第１解析部２４１は、第１同期信号７２Ｌ，７２Ｒの受信時刻ｔｒから、該受信時刻ｔｒ直後の算出された時刻ｔｂまでの期間（即ち、第１受信部２３０が第１同期信号７２Ｌ，７２Ｒを受信してから、１フレーム画像ＦＬ，ＦＲ当たりの表示時間Ｔ１が経過するまでの期間）を、光源２１を消灯させる第１期間として定める。また、算出された時刻ｔｂから、算出された時刻ｔｂの直後の第１同期信号７２Ｌ，７２Ｒの受信時刻ｔｒまでの期間（即ち、先に受信された第１同期信号７２Ｌ，７２Ｒの受信時刻ｔｒから１フレーム画像ＦＬ，ＦＲ当たりの表示時間Ｔ１が経過した後、次の第１同期信号７２Ｒ，７２Ｌを受信するまでの期間）を、光源２１を点灯させる第２期間として定める。かくして、第１解析部２４１は、第１同期信号７２Ｌ，７２Ｒ及び第１信号７１に基づき、光源２１を消灯させるための第１期間と、光源２１を点灯させるための第２期間とを決定する。
【００８７】
照明制御装置２０Ａの第１生成部２４２は、第１同期信号７２Ｌ，７２Ｒが受信された時刻ｔｒに光源２１を消灯させるためのオフ信号７４を生成する。また、第１生成部２４２は、第１解析部２４１によって算出された時刻ｔｂに光源２１を点灯させるためのオン信号７３を生成する。
【００８８】
光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【００８９】
図１０は、光学フィルタ部４３の立体視補助動作のための制御を概略的に説明する図である。図１０のセクション（Ａ）は、第２受信部４４０が受信する信号を示す。図１０のセクション（Ｂ）は、表示部３１０の輝度を示す。図１０のセクション（Ｃ）は、第２生成部４５３が生成する光学フィルタ部４３に立体視補助動作をさせるためのタイミング信号を示す。図１０のセクション（Ｄ）は、左眼フィルタ４１を透過し、視聴者の左眼へ到達する光量の変動を示す。図１０のセクション（Ｅ）は、右眼フィルタ４２を透過し、視聴者の右眼へ到達する光量の変動を示す。図１、図２、図４、図８乃至図１０を用いて、光学フィルタ部４３の立体視補助動作のための制御が説明される。
【００９０】
図９に関連して説明された如く、表示装置３Ａの信号生成部３５３は、第１信号７１、左眼フレーム画像ＦＬの表示の開始に同期する第１同期信号７２Ｌ及び右眼フレーム画像ＦＲの表示の開始に同期する第１同期信号７２Ｒを生成する。上述の如く、第１信号７１は、１フレーム画像ＦＬ，ＦＲ当たりの表示時間Ｔ１に関する情報を含む。第１送信部３３０は、第１送信制御部３６０の制御下で、第１信号７１及び第１同期信号７２Ｌ，７２Ｒを送信する。
【００９１】
眼鏡装置４Ａの第２受信部４４０は、第１信号７１、左眼フレーム画像ＦＬの表示の開始に同期する第１同期信号７２Ｌ及び右眼フレーム画像ＦＲの表示の開始に同期する第１同期信号７２Ｒを受信する。第２解析部４５２は、第１信号７１から１フレーム画像ＦＬ，ＦＲ当たりの表示時間Ｔ１に関する情報を抽出する。また、第２解析部４５２は、第１同期信号７２Ｌ，７２Ｒの受信時刻ｔｒを測定する。
【００９２】
第２解析部４５２は更に、受信時刻ｔｒに表示時間Ｔ１を加算し、左眼フィルタ４１又は右眼フィルタ４２を透過する光量を低減させる時刻ｔｄを算出する。時刻ｔｄは、図９に関連して説明された時刻ｔｂに略等しい時刻であってもよい。また、第２解析部４５２は、第１同期信号７２Ｌ，７２Ｒの受信時刻ｔｒを左眼フィルタ４１又は右眼フィルタ４２を透過する光量を増大させる時刻として決定する。第２解析部４５２は、左眼フレーム画像ＦＬ及び右眼フレーム画像ＦＲの表示の開始に同期する第１同期信号７２Ｌの受信時刻ｔｒ及び左眼フィルタ４１又は右眼フィルタ４２を透過する光量を低減させる時刻ｔｄを第２記憶部４６０に記録する。
【００９３】
第２生成部４５３は、第１同期信号７２Ｌの受信時刻ｔｒに左眼フィルタ４１を透過する光量を増大させるためのタイミング信号７５Ｌを生成する。第１同期信号７２Ｌの受信時刻ｔｒの直後の時刻ｔｄにおいて、左眼フィルタ４１を透過する光量を減少させるためのタイミング信号７６Ｌを生成する。同様に、第２生成部４５３は、第１同期信号７２Ｒの受信時刻ｔｒに右眼フィルタ４２を透過する光量を増大させるためのタイミング信号７５Ｒを生成する。第１同期信号７２Ｒの受信時刻ｔｒの直後の時刻ｔｄにおいて、右眼フィルタ４２を透過する光量を減少させるためのタイミング信号７６Ｒを生成する。
【００９４】
光学フィルタ制御部４５４は、第２生成部４５３によって生成されたタイミング信号７５Ｌ，７６Ｌ，７５Ｒ，７６Ｒに従って、光学フィルタ部４３を制御する。左眼フィルタ４１は、タイミング信号７５Ｌに従って、左眼へ透過する光量を増大させ、タイミング信号７６Ｌに従って、左眼へ透過する光量を低減させる。同様に、右眼フィルタ４２は、タイミング信号７５Ｒに従って、右眼へ透過する光量を増大させ、タイミング信号７６Ｒに従って、右眼へ透過する光量を低減させる。
【００９５】
図９及び図１０に関連して説明された一連の動作を通じて、図２に関連して説明された表示パネル３１中のフレーム画像ＦＬ，ＦＲの表示及び切り換え、光源２１及び光学フィルタ部４３の間の同期が達成される。
【００９６】
（第２実施形態）
以下に、第２実施形態に係る照明システム１Ａ及び眼鏡装置４Ａが説明される。第２実施形態に係る照明システム１Ａ及び眼鏡装置４Ａの構成は、第１実施形態に係る照明システム１Ａ及び眼鏡装置４Ａの構成と略同様であり、図１乃至図１０に関連して説明された照明システム１Ａ及び眼鏡装置４Ａの構成及び動作は、第２実施形態においても略共通する。以下に、第１実施形態に係る照明システム１Ａ及び眼鏡装置４Ａとの相違点を中心に、第２実施形態に係る照明システム１Ａ及び眼鏡装置４Ａが説明される。
【００９７】
図１１は、第２実施形態に係る照明制御装置２０Ａが行う光源２１に対する明滅制御を概略的に示すタイミングチャートである。図１１のセクション（Ａ）は、第１受信部２３０が受信する信号を示す。図１１のセクション（Ｂ）は、表示部３１０の輝度を示す。図１１のセクション（Ｃ）は、第１生成部２４２が生成するオン・オフ信号を示す。図１１のセクション（Ｄ）は、光源２１の輝度を示す。図１、図２、図４、図６及び図１１を用いて、光源２１に対する明滅制御が説明される。
【００９８】
本実施形態において、表示装置３Ａの信号生成部３５３は、第２信号７７、左眼フレーム画像ＦＬの表示の開始に同期する第１同期信号７２Ｌ及び右眼フレーム画像ＦＲの表示の開始に同期する第１同期信号７２Ｒを生成する。上述の如く、第２信号７７は、表示部３１０が表示する３次元映像のフレームレートに関する第２情報を含む。第２信号７７、左眼フレーム画像ＦＬの表示の開始に同期する第１同期信号７２Ｌ及び右眼フレーム画像ＦＲの表示の開始に同期する第１同期信号７２Ｒは、互いに異なる波形を有することが好ましい。第１送信部３３０は、第１送信制御部３６０の制御下で、第２信号７７及び第１同期信号７２Ｌ，７２Ｒを送信する。
【００９９】
照明制御装置２０Ａの第１受信部２３０は、第２信号７７、左眼フレーム画像ＦＬの表示の開始に同期する第１同期信号７２Ｌ及び右眼フレーム画像ＦＲの表示の開始に同期する第１同期信号７２Ｒを受信する。第１解析部２４１は、第２信号７７からフレームレートに関する情報を抽出する。また、第１同期信号７２Ｌ，７２Ｒの受信時刻ｔｒを測定する。
【０１００】
第２解析部４５２は更に、フレームレートの逆数として定義される周期Ｔ０を算出する。また、第１記憶部２５０に予め記憶された定数Ｃ（Ｃ＞１）を用いて、例えば、以下の数式１によって定義される時刻ｔｂを算出する。
【０１０１】
【数１】
2011108287.tif 000003
【０１０２】
また、第１解析部２４１は、第１同期信号７２Ｌ，７２Ｒの受信時刻ｔｒから、該受信時刻ｔｒ直後の算出された時刻ｔｂまでの期間を、光源２１を消灯させる第１期間として定める。また、算出された時刻ｔｂから、算出された時刻ｔｂの直後の第１同期信号７２Ｌ，７２Ｒの受信時刻ｔｒまでの期間を、光源２１を点灯させる第２期間として定める。かくして、第１解析部２４１は、第１同期信号７２Ｌ，７２Ｒ及び第２信号７７の第２情報に基づき、光源２１を消灯させるための第１期間と、光源２１を点灯させるための第２期間とを決定する。
【０１０３】
照明制御装置２０Ａの第１生成部２４２は、第１同期信号７２Ｌ，７２Ｒが受信された時刻ｔｒに光源２１を消灯させるためのオフ信号７４を生成する。また、第１生成部２４２は、第１解析部２４１によって算出された時刻ｔｂに光源２１を点灯させるためのオン信号７３を生成する。
【０１０４】
光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１０５】
図１２は、光学フィルタ部４３の立体視補助動作のための制御を概略的に示すタイミングチャートである。図１２のセクション（Ａ）は、第２受信部４４０が受信する信号を示す。図１２のセクション（Ｂ）は、表示部３１０の輝度を示す。図１２のセクション（Ｃ）は、第２生成部４５３が生成する光学フィルタ部４３に立体視補助動作をさせるためのタイミング信号を示す。図１２のセクション（Ｄ）は、左眼フィルタ４１を透過し、視聴者の左眼へ到達する光量の変動を示す。図１２のセクション（Ｅ）は、右眼フィルタ４２を透過し、視聴者の右眼へ到達する光量の変動を示す。図１、図２、図４、図８、図１１及び図１２を用いて、光学フィルタ部４３の立体視補助動作のための制御が説明される。
【０１０６】
図１１に関連して説明された如く、表示装置３Ａの信号生成部３５３は、第２信号７７、左眼フレーム画像ＦＬの表示の開始に同期する第１同期信号７２Ｌ及び右眼フレーム画像ＦＲの表示の開始に同期する第１同期信号７２Ｒを生成する。上述の如く、第２信号７７は、表示部３１０に表示される３次元映像のフレームレートに関する情報を含む。第１送信部３３０は、第１送信制御部３６０の制御下で、第２信号７７及び第１同期信号７２Ｌ，７２Ｒを送信する。
【０１０７】
眼鏡装置４Ａの第２受信部４４０は、第２信号７７、左眼フレーム画像ＦＬの表示の開始に同期する第１同期信号７２Ｌ及び右眼フレーム画像ＦＲの表示の開始に同期する第１同期信号７２Ｒを受信する。第２解析部４５２は、第２信号７７から表示部３１０に表示される３次元映像のフレームレートに関する情報を抽出する。また、第２解析部４５２は、第１同期信号７２Ｌ，７２Ｒの受信時刻ｔｒを測定する。
【０１０８】
第２解析部４５２は更に、上述の数式１を用いて、図１１に関連して説明された時刻ｔｂに略等しい時刻ｔｄを算出する。また、第２解析部４５２は、第１同期信号７２Ｌ，７２Ｒの受信時刻ｔｒを左眼フィルタ４１又は右眼フィルタ４２を透過する光量を増大させる時刻と決定する。第２解析部４５２は、左眼フレーム画像ＦＬ及び右眼フレーム画像ＦＲの表示の開始に同期する第１同期信号７２Ｌの受信時刻ｔｒ及び左眼フィルタ４１又は右眼フィルタ４２を透過する光量を低減させる時刻ｔｄを第２記憶部４６０に記録する。
【０１０９】
第２生成部４５３は、第１同期信号７２Ｌの受信時刻ｔｒに左眼フィルタ４１を透過する光量を増大させるためのタイミング信号７５Ｌを生成する。第１同期信号７２Ｌの受信時刻ｔｒの直後の時刻ｔｄにおいて、左眼フィルタ４１を透過する光量を減少させるためのタイミング信号７６Ｌを生成する。同様に、第２生成部４５３は、第１同期信号７２Ｒの受信時刻ｔｒに右眼フィルタ４２を透過する光量を増大させるためのタイミング信号７５Ｒを生成する。第１同期信号７２Ｒの受信時刻ｔｒの直後の時刻ｔｄにおいて、右眼フィルタ４２を透過する光量を減少させるためのタイミング信号７６Ｒを生成する。
【０１１０】
光学フィルタ制御部４５４は、第２生成部４５３によって生成されたタイミング信号７５Ｌ，７６Ｌ，７５Ｒ，７６Ｒに従って、光学フィルタ部４３を制御する。左眼フィルタ４１は、タイミング信号７５Ｌに従って、左眼へ透過する光量を増大させ、タイミング信号７６Ｌに従って、左眼へ透過する光量を低減させる。同様に、右眼フィルタ４２は、タイミング信号７５Ｒに従って、右眼へ透過する光量を増大させ、タイミング信号７６Ｒに従って、右眼へ透過する光量を低減させる。
【０１１１】
図１１及び図１２に関連して説明された一連の動作を通じて、図２に関連して説明された表示パネル３１中のフレーム画像ＦＬ，ＦＲの表示及び切り換え、光源２１及び光学フィルタ部４３の間の同期が達成される。
【０１１２】
第１実施形態及び第２実施形態において、第１信号７１及び第２信号７７からの第１情報及び第２情報の抽出は、照明制御装置２０Ａの第１記憶部２５０及び眼鏡装置４Ａの第２記憶部４６０に予め格納されたルックアップテーブルを用いてなされてもよい。代替的に、第１信号７１のパルス幅及び第２信号７７のパルス幅を用いて、照明制御装置２０Ａの第１解析部２４１及び眼鏡装置４Ａの第２解析部４５２が、１フレーム画像ＦＬ，ＦＲ当たりの表示時間Ｔ１やフレームレートを算出してもよい。
【０１１３】
（第３実施形態）
以下に、第３実施形態に係る照明システム１Ａ及び眼鏡装置４Ａが説明される。第３実施形態に係る照明システム１Ａ及び眼鏡装置４Ａの構成は、第１実施形態に係る照明システム１Ａ及び眼鏡装置４Ａの構成と略同様であり、図１乃至図１０に関連して説明された照明システム１Ａ及び眼鏡装置４Ａの構成及び動作は、第３実施形態においても略共通する。以下に、第１実施形態に係る照明システム１Ａ及び眼鏡装置４Ａとの相違点を中心に、第３実施形態に係る照明システム１Ａ及び眼鏡装置４Ａが説明される。
【０１１４】
図１３は、表示装置３Ａの信号生成部３５３が生成する同期信号を例示する。図４及び図１３を用いて、表示装置３Ａの信号生成部３５３が生成する同期信号が説明される。
【０１１５】
表示装置３Ａの信号生成部３５３が生成する同期信号は、少なくとも１つのパルスを有するビット列を含む。本実施形態において用いられる「ビット列」との用語は、１ビットのデータに対応するパルスを複数集合させてなるパルスの列を意味する。図１３に示される同期信号のビット列は、最大、５つのパルスを含むことができるが、ビット列に含まれるパルス数は、５未満であってもよいし、５を超える数であってもよい。図１３中実線で示される波形は、パルスが存在していることを示し、点線で示される波形はパルスが存在していないことを示す。図１３に示されるビット列Ｐ０乃至Ｐ１５のビット列のパターンは互いに異なり、本実施形態では、信号生成部３５３は、図１３に示されるいずれのパターンのビット列を有する同期信号を生成することができる。ビット列Ｐ１５に示されるように、全てのパルスが存在しているとき、パルス波形の周期（パルス間の間隔）は一定である。図１３に示される如く、同期信号中、最初に位置するパルスＢ１は全てのビット列Ｐ０乃至Ｐ１５に亘って存在している。パルスＢ１は、同期信号が照明制御装置２０Ａ及び／又は眼鏡装置４Ａに送信されたことを通知するタイミングパルスとしての役割を担う。
【０１１６】
図１４は、図１３に示される同期信号のビット列の各パターンに割り当てられた情報を例示する。図２、図４、図６、図８、図１３及び図１４を用いて、同期信号のビット列の各パターンに割り当てられた情報が説明される。
【０１１７】
本実施形態において、同期信号の各ビット列のパターンに割り当てられる情報は、１フレーム画像当たりの表示時間、フレームレート及び同期信号が同期しているフレーム画像の種類に関する情報である。上述の如く、最初のパルスＢ１はタイミングパルスとして用いられる。２番目のパルスＢ２は、同期信号が同期しているフレーム画像の種類を示す。２番目のパルスＢ２が存在していないとき、眼鏡装置４Ａの第２解析部４５２は、同期信号が左眼フレーム画像ＦＬに同期すると判断する。２番目のパルスＢ２が存在しているとき、眼鏡装置４Ａの第２解析部４５２は、同期信号が右眼フレーム画像ＦＲに同期すると判断する。３番目のパルスＢ３は、１フレーム画像当たりの表示時間に関する情報を示す。３番目のパルスＢ３が存在していないとき、照明制御装置２０Ａの第１解析部２４１及び眼鏡装置４Ａの第２解析部４５２は、１フレーム画像当たりの表示時間が「Ｘ０」であることを判断する。３番目のパルスＢ３が存在しているとき、照明制御装置２０Ａの第１解析部２４１及び眼鏡装置４Ａの第２解析部４５２は、１フレーム画像当たりの表示時間が「Ｘ１」であることを判断する。４番目のパルスＢ４は、フレームレートに関する情報を示す。４番目のパルスＢ４が存在していないとき、照明制御装置２０Ａの第１解析部２４１及び眼鏡装置４Ａの第２解析部４５２は、フレームレートが「Ｙ０」であることを判断する。４番目のパルスＢ４が存在しているとき、照明制御装置２０Ａの第１解析部２４１及び眼鏡装置４Ａの第２解析部４５２は、フレームレートが「Ｙ１」であることを判断する。
【０１１８】
図１５は、第３実施形態に係る照明制御装置２０Ａが行う光源２１に対する明滅制御を概略的に示すタイミングチャートである。図１５のセクション（Ａ）は、第１受信部２３０が受信する信号を示す。図１５のセクション（Ｂ）は、表示部３１０の輝度を示す。図１５のセクション（Ｃ）は、第１生成部２４２が生成するオン・オフ信号を示す。図１５のセクション（Ｄ）は、光源２１の輝度を示す。図１、図２、図４、図６、図１３乃至図１５を用いて、光源２１に対する明滅制御が説明される。
【０１１９】
第１受信部２３０は、ビット列Ｐ１を含む同期信号、ビット列Ｐ９を含む同期信号、ビット列Ｐ４を含む同期信号及びビット列Ｐ１２を含む同期信号を順に受信している。図１４に関連して説明された如く、ビット列Ｐ１を含む同期信号及びビット列Ｐ４を含む同期信号は、左眼フレーム画像ＦＬの表示の開始に同期して受信される。ビット列Ｐ９を含む同期信号及びビット列Ｐ１２を含む同期信号は、右眼フレーム画像ＦＲの表示の開始に同期して受信される。
【０１２０】
照明制御装置２０Ａの第１解析部２４１は、ビット列Ｐ１を含む同期信号、ビット列Ｐ９を含む同期信号、ビット列Ｐ４を含む同期信号及びビット列Ｐ１２を含む同期信号の受信時刻ｔｒを測定する。第１解析部２４１は更に、測定された受信時刻ｔｒに対し、各同期信号のビット列Ｐ１，Ｐ９，Ｐ４，Ｐ１４に割り当てられた１フレーム画像当たりの表示時間を加算し、光源２１を点灯させるためのオン信号７３を生成する時刻ｔｂを算出する。第１解析部２４１は更に、測定された受信時刻ｔｒ及び各同期信号のビット列Ｐ１，Ｐ９，Ｐ４，Ｐ１４に割り当てられたフレームレートの情報に基づき、フレームの切り換え時刻ｔｓを算出する。第１解析部２４１は、同期信号の受信時刻ｔｒ又は直前のフレームの切り換え時刻ｔｓから光源２１を点灯させるためのオン信号７３を生成する時刻ｔｂまでの期間（同期信号を受信してからフレーム画像当たりの表示時間が経過するまでの期間）を、光源２１を消灯させる第１期間として決定し、光源２１を点灯させるためのオン信号７３を生成する時刻ｔｂから直後のフレームの切り換え時刻ｔｓ（代替的に、直後の同期信号の受信時刻ｔｒ）までの期間（フレーム画像の表示が終了してから次のフレーム画像の表示が開始するまでの期間）を、光源２１を点灯させる第２期間として決定する。
【０１２１】
第１生成部２４２は、算出された時刻ｔｂにオン信号７３を生成し、同期信号の受信時刻ｔｒ又は算出された時刻ｔｓにオフ信号７４を生成する。光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１２２】
本実施形態において、１フレーム画像当たりの表示時間に関する情報と、フレームレートに関する情報を含む同期信号を用いて、フレーム画像ＦＬ，ＦＲの表示の終了から次のフレーム画像ＦＲ，ＦＬの表示の開始までの時間に関する情報が照明制御装置２０Ａへ伝達されたが、フレームレートに関する情報に代えて、同期信号は、直接的に、フレーム画像ＦＬ，ＦＲの表示の終了から次のフレーム画像ＦＲ，ＦＬの表示の開始までの時間に関する情報を含んでもよい。
【０１２３】
図１６は、光学フィルタ部４３の立体視補助動作のための制御を概略的に説明する図である。図１６のセクション（Ａ）は、第２受信部４４０が受信する信号を示す。図１６のセクション（Ｂ）は、表示部３１０の輝度を示す。図１６のセクション（Ｃ）は、第２生成部４５３が生成する光学フィルタ部４３に立体視補助動作をさせるためのタイミング信号を示す。図１６のセクション（Ｄ）は、左眼フィルタ４１を透過し、視聴者の左眼へ到達する光量の変動を示す。図１６のセクション（Ｅ）は、右眼フィルタ４２を透過し、視聴者の右眼へ到達する光量の変動を示す。図１、図２、図４、図８、図１３乃至図１６を用いて、光学フィルタ部４３の立体視補助動作のための制御が説明される。
【０１２４】
第２受信部４４０は、ビット列Ｐ１を含む同期信号、ビット列Ｐ９を含む同期信号、ビット列Ｐ４を含む同期信号及びビット列Ｐ１２を含む同期信号を順に受信している。図１４に関連して説明された如く、ビット列Ｐ１を含む同期信号及びビット列Ｐ４を含む同期信号は、左眼フレーム画像ＦＬの表示の開始に同期して受信される。ビット列Ｐ９を含む同期信号及びビット列Ｐ１２を含む同期信号は、右眼フレーム画像ＦＲの表示の開始に同期して受信される。
【０１２５】
眼鏡装置４Ａの第２解析部４５２は、ビット列Ｐ１を含む同期信号、ビット列Ｐ９を含む同期信号、ビット列Ｐ４を含む同期信号及びビット列Ｐ１２を含む同期信号の受信時刻ｔｒを測定する。第１解析部２４１は更に、測定された受信時刻ｔｒに対し、各同期信号のビット列Ｐ１，Ｐ９，Ｐ４，Ｐ１２に割り当てられた１フレーム画像当たりの表示時間を加算し、左眼フィルタ４１又は右眼フィルタ４２を透過する光量を減少させるためのタイミング信号７６Ｌ，７６Ｒを生成する時刻ｔｄ（時刻ｔｂに略等しい時刻）を算出する。
【０１２６】
第２生成部４５３は、左眼フレーム画像ＦＬの表示の開始に同期するビット列Ｐ１，Ｐ４を含む同期信号の受信時刻ｔｒに左眼フィルタ４１を透過する光量を増大させるためのタイミング信号７５Ｌを生成する。ビット列Ｐ１，Ｐ４を含む同期信号の受信時刻ｔｒの直後の時刻ｔｄにおいて、左眼フィルタ４１を透過する光量を減少させるためのタイミング信号７６Ｌを生成する。同様に、第２生成部４５３は、ビット列Ｐ９，Ｐ１２を含む同期信号の受信時刻ｔｒに右眼フィルタ４２を透過する光量を増大させるためのタイミング信号７５Ｒを生成する。ビット列Ｐ９，Ｐ１２を含む同期信号の受信時刻ｔｒの直後の時刻ｔｄにおいて、右眼フィルタ４２を透過する光量を減少させるためのタイミング信号７６Ｒを生成する。
【０１２７】
光学フィルタ制御部４５４は、第２生成部４５３によって生成されたタイミング信号７５Ｌ，７６Ｌ，７５Ｒ，７６Ｒに従って、光学フィルタ部４３を制御する。左眼フィルタ４１は、タイミング信号７５Ｌに従って、左眼へ透過する光量を増大させ、タイミング信号７６Ｌに従って、左眼へ透過する光量を低減させる。同様に、右眼フィルタ４２は、タイミング信号７５Ｒに従って、右眼へ透過する光量を増大させ、タイミング信号７６Ｒに従って、右眼へ透過する光量を低減させる。
【０１２８】
図１５及び図１６に関連して説明された一連の動作を通じて、図２に関連して説明された表示パネル３１中のフレーム画像ＦＬ，ＦＲの表示及び切り換え、光源２１及び光学フィルタ部４３の間の同期が達成される。
【０１２９】
本実施形態では、第１実施形態及び第２実施形態で用いられた第１信号７１及び第２信号７７に割り当てられた情報を同期信号に含ませることによって、表示装置３Ａが表示する３次元映像のフレームレートやフレーム画像ＦＬ，ＦＲの表示時間の変動に追従して、比較的容易に、光源２１の明滅及び光学フィルタ部４３の立体視補助動作を制御することが可能となる。
【０１３０】
（第４実施形態）
以下に、第４実施形態に係る照明システム１Ａ及び眼鏡装置４Ａが説明される。第４実施形態に係る照明システム１Ａ及び眼鏡装置４Ａの構成は、第１実施形態に係る照明システム１Ａ及び眼鏡装置４Ａの構成と略同様であり、図１乃至図１０に関連して説明された照明システム１Ａ及び眼鏡装置４Ａの構成及び動作は、第４実施形態においても略共通する。以下に、第１実施形態に係る照明システム１Ａ及び眼鏡装置４Ａとの相違点を中心に、第４実施形態に係る照明システム１Ａ及び眼鏡装置４Ａが説明される。
【０１３１】
図１７は、図１３に示される同期信号の各ビット列のパターンに割り当てられた情報を示す図表である。図２、図４、図６、図８、図１３及び図１７を用いて、同期信号の各ビット列のパターンに割り当てられた情報が説明される。
【０１３２】
本実施形態において、同期信号の各ビット列のパターンに割り当てられる情報は、同期信号の同期タイミング及び同期信号が同期しているフレーム画像の種類に関する情報である。上述の如く、最初のパルスＢ１はタイミングパルスとして用いられる。２番目のパルスＢ２は、同期信号が同期しているフレーム画像の種類を示す。２番目のパルスＢ２が存在していないとき、眼鏡装置４Ａの第２解析部４５２は、同期信号が左眼フレーム画像ＦＬに同期すると判断する。２番目のパルスＢ２が存在しているとき、眼鏡装置４Ａの第２解析部４５２は、同期信号が右眼フレーム画像ＦＲに同期すると判断する。４番目のパルスＢ４は、同期信号の同期タイミングに関する情報を示す。４番目のパルスＢ４が存在していないとき、照明制御装置２０Ａの第１解析部２４１及び眼鏡装置４Ａの第２解析部４５２は、同期信号がフレーム画像の表示の開始に同期すると判断する。４番目のパルスＢ４が存在しているとき、照明制御装置２０Ａの第１解析部２４１及び眼鏡装置４Ａの第２解析部４５２は、同期信号がフレーム画像の表示の終了に同期すると判断する。
【０１３３】
図１８は、第４実施形態に係る照明制御装置２０Ａが行う光源２１に対する明滅制御を概略的に示すタイミングチャートである。図１８のセクション（Ａ）は、第１受信部２３０が受信する信号を示す。図１８のセクション（Ｂ）は、表示部３１０の輝度を示す。図１８のセクション（Ｃ）は、第１生成部２４２が生成するオン・オフ信号を示す。図１８のセクション（Ｄ）は、光源２１の輝度を示す。図１、図２、図４及び図６、図１３、図１７及び図１８を用いて、光源２１に対する明滅制御が説明される。
【０１３４】
第１受信部２３０は、ビット列Ｐ１を含む同期信号、ビット列Ｐ２を含む同期信号、ビット列Ｐ９を含む同期信号及びビット列Ｐ１０を含む同期信号を順に受信している。図１８に関連して説明された如く、ビット列Ｐ１を含む同期信号及びビット列Ｐ９を含む同期信号は、フレーム画像ＦＬ，ＦＲの表示の開始に同期する第１同期信号として用いられる。ビット列Ｐ１を含む同期信号は、左眼フレーム画像ＦＬの表示の開始に同期し、ビット列Ｐ９を含む同期信号は、右眼フレーム画像ＦＲの表示の開始に同期する。同様に、ビット列Ｐ２を含む同期信号及びビット列Ｐ１０を含む同期信号は、フレーム画像ＦＬ，ＦＲの表示の終了に同期する第２同期信号として用いられる。ビット列Ｐ２を含む同期信号は、左眼フレーム画像ＦＬの表示の終了に同期し、ビット列Ｐ１０を含む同期信号は、右眼フレーム画像ＦＲの表示の終了に同期する。
【０１３５】
照明制御装置２０Ａの第１解析部２４１は、第１同期信号（ビット列Ｐ１又はビット列Ｐ９を含む同期信号）の受信時刻ｔ１及び第２同期信号（ビット列Ｐ２又はビット列Ｐ１０を含む同期信号）の受信時刻ｔ２を測定する。第１解析部２４１は、第１同期信号を受信した時刻ｔ１から第２同期信号を受信した時刻までの期間を、光源２１を消灯させる第１期間として決定する。また、第１解析部２４１は、第２同期信号を受信した時刻から次の第１同期信号を受信するまでの期間を、光源２１を点灯させる第２期間として決定する。
【０１３６】
第１生成部２４２は、第２同期信号が受信された時刻ｔ２にオン信号７３を生成し、第１同期信号が受信された時刻ｔ１にオフ信号７４を生成する。光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１３７】
図１９は、光学フィルタ部４３の立体視補助動作のための制御を概略的に示すタイミングチャートである。図１９のセクション（Ａ）は、第２受信部４４０が受信する信号を示す。図１９のセクション（Ｂ）は、表示部３１０の輝度を示す。図１９のセクション（Ｃ）は、第２生成部４５３が生成する光学フィルタ部４３に立体視補助動作をさせるためのタイミング信号を示す。図１９のセクション（Ｄ）は、左眼フィルタ４１を透過し、視聴者の左眼へ到達する光量の変動を示す。図１９のセクション（Ｅ）は、右眼フィルタ４２を透過し、視聴者の右眼へ到達する光量の変動を示す。図１、図２、図４、図８、図１３、図１７乃至図１９を用いて、光学フィルタ部４３の立体視補助動作のための制御が説明される。
【０１３８】
第２受信部４４０は、ビット列Ｐ１を含む同期信号、ビット列Ｐ２を含む同期信号、ビット列Ｐ９を含む同期信号及びビット列Ｐ１０を含む同期信号を順に受信している。図１８に関連して説明された如く、ビット列Ｐ１を含む同期信号及びビット列Ｐ９を含む同期信号は、フレーム画像ＦＬ，ＦＲの表示の開始に同期する第１同期信号として用いられる。ビット列Ｐ１を含む同期信号は、左眼フレーム画像ＦＬの表示の開始に同期し、ビット列Ｐ９を含む同期信号は、右眼フレーム画像ＦＲの表示の開始に同期する。同様に、ビット列Ｐ２を含む同期信号及びビット列Ｐ１０を含む同期信号は、フレーム画像ＦＬ，ＦＲの表示の終了に同期する第２同期信号として用いられる。ビット列Ｐ２を含む同期信号は、左眼フレーム画像ＦＬの表示の終了に同期し、ビット列Ｐ１０を含む同期信号は、右眼フレーム画像ＦＲの表示の終了に同期する。
【０１３９】
眼鏡装置４Ａの第２解析部４５２は、第１同期信号（ビット列Ｐ１又はビット列Ｐ９を含む同期信号）の受信時刻ｔ１及び第２同期信号（ビット列Ｐ２又はビット列Ｐ１０を含む同期信号）の受信時刻ｔ２を測定する。
【０１４０】
第２生成部４５３は、左眼フレーム画像ＦＬの表示の開始に同期するビット列Ｐ１を含む同期信号の受信時刻ｔ１に左眼フィルタ４１を透過する光量を増大させるためのタイミング信号７５Ｌを生成する。第２生成部４５３は、左眼フレーム画像ＦＬの表示の終了に同期するビット列Ｐ２を含む同期信号の受信時刻ｔ２に左眼フィルタ４１を透過する光量を減少させるためのタイミング信号７６Ｌを生成する。同様に、第２生成部４５３は、右眼フレーム画像ＦＲの表示の開始に同期するビット列Ｐ９を含む同期信号の受信時刻ｔ１に右眼フィルタ４２を透過する光量を増大させるためのタイミング信号７５Ｒを生成する。第２生成部４５３は、右眼フレーム画像ＦＲの表示の終了に同期するビット列Ｐ１０を含む同期信号の受信時刻ｔ２に右眼フィルタ４２を透過する光量を減少させるためのタイミング信号７６Ｒを生成する。
【０１４１】
光学フィルタ制御部４５４は、第２生成部４５３によって生成されたタイミング信号７５Ｌ，７６Ｌ，７５Ｒ，７６Ｒに従って、光学フィルタ部４３を制御する。左眼フィルタ４１は、タイミング信号７５Ｌに従って、左眼へ透過する光量を増大させ、タイミング信号７６Ｌに従って、左眼へ透過する光量を低減させる。同様に、右眼フィルタ４２は、タイミング信号７５Ｒに従って、右眼へ透過する光量を増大させ、タイミング信号７６Ｒに従って、右眼へ透過する光量を低減させる。
【０１４２】
図１８及び図１９に関連して説明された一連の動作を通じて、図２に関連して説明された表示パネル３１中のフレーム画像ＦＬ，ＦＲの表示及び切り換え、光源２１及び光学フィルタ部４３の間の同期が達成される。
【０１４３】
（第５実施形態）
以下に、第５実施形態に係る照明システム１Ａ及び眼鏡装置４Ｂが説明される。第５実施形態において、第１実施形態乃至第４実施形態とは異なり、光源２１に対する明滅制御は、眼鏡装置４Ｂから送信される信号に基づき実行される。以下に、第１実施形態乃至第４実施形態に係る照明システム１Ａ及び眼鏡装置４Ａとの相違点を中心に、第５実施形態に係る照明システム１Ａ及び眼鏡装置４Ｂが説明される。
【０１４４】
図２０は、第５実施形態に係る照明システム１Ａ及び眼鏡装置４Ｂを概略的に示す。第５実施形態に用いられる眼鏡装置４Ｂは、第１実施形態乃至第４実施形態に用いられた眼鏡装置４Ａと異なり、第２送信素子４８を備える。また、照明システム１Ａの受信素子２３は、第１実施形態乃至第４実施形態において用いられた表示装置３Ａからの信号に加えて、眼鏡装置４Ｂの第２送信素子４８からの信号を受信する。
【０１４５】
図２１は、眼鏡装置４Ｂのハードウェア構成を概略的に示すブロック図である。図２１を用いて、図７に示される眼鏡装置４Ａのハードウェア構成との相違点が説明される。
【０１４６】
眼鏡装置４Ｂは、ＣＰＵ４５、メモリ４６、クロック４７、受信素子４４及び光学フィルタ部４３に加えて、上述の如く、第２送信素子４８を含む。ＣＰＵ４５、メモリ４６、クロック４７、受信素子４４及び光学フィルタ部４３の動作や機能は、図７に関連して説明されたものと同様である。
【０１４７】
第２送信素子４８は、ＣＰＵ４５の制御下で、左眼又は右眼へ透過する光量を減少させる左眼フィルタ４１又は右眼フィルタ４２の動作の開始と同期する第３信号を送信する。したがって、第３信号は、光学フィルタ部４３が光量を減少させるタイミングに関する第３情報を含むこととなる。
【０１４８】
図２２は、眼鏡装置４Ｂの機能構成を概略的に示すブロック図である。図２２を用いて、図８に示される眼鏡装置４Ａの機能構成との相違点が説明される。
【０１４９】
眼鏡装置４Ｂは、第２受信部４４０、第２解析部４５２、第２記憶部４６０、第２生成部４５３、光学フィルタ制御部４５４及び光学フィルタ部４３に加えて、第２送信制御部４５５及び第２送信部４８０を備える。第２受信部４４０、第２解析部４５２、第２記憶部４６０、光学フィルタ制御部４５４及び光学フィルタ部４３の動作や機能は、図８に関連して説明されたものと同様である。
【０１５０】
第２生成部４５３は、図８に関連して説明された如く、第２解析部４５２が解析した同期情報に基づいて、タイミング信号を生成する。第２生成部４５３は、光学フィルタ制御部４５４に加えて、第２送信制御部４５５に、タイミング信号を出力する。第２生成部４５３は、図２１に示されるハードウェア構成において、ＣＰＵ４５とクロック４７に該当する。
【０１５１】
第２生成部４５３が生成するタイミング信号は、左眼フィルタ４１及び右眼フィルタ４２を透過する光量を増大させる制御を実行させるためのタイミング信号と、左眼フィルタ４１及び右眼フィルタ４２を透過する光量を減少させる制御を実行させるためのタイミング信号とを含む。第２送信制御部４５５は、第２生成部４５３が生成するタイミング信号のうち左眼フィルタ４１及び右眼フィルタ４２を透過する光量を減少させる制御を実行させるためのタイミング信号に対応する信号を第２送信部４８０から送信させる。第２送信制御部４５５は、図２１に示されるハードウェア構成において、ＣＰＵ４５に該当する。第２送信部４８０は、図２１に示されるハードウェア構成において、第２送信素子４８に相当する。
【０１５２】
図２３は、第５実施形態に係る光学フィルタ部４３に対する制御を概略的に示すタイミングチャートである。図２３のセクション（Ａ）は、第２受信部４４０が受信する信号を示す。図２３のセクション（Ｂ）は、表示部３１０の輝度を示す。図２３のセクション（Ｃ）は、第２生成部４５３が生成する光学フィルタ部４３に立体視補助動作をさせるためのタイミング信号を示す。図２３のセクション（Ｄ）は、左眼フィルタ４１を透過し、視聴者の左眼へ到達する光量の変動を示す。図２３のセクション（Ｅ）は、右眼フィルタ４２を透過し、視聴者の右眼へ到達する光量の変動を示す。図２３のセクション（Ｆ）は、第２送信部４８０から送信される第３信号を示す。図２３に示される表示装置３Ａからの同期信号の受信から光学フィルタ部４３の立体視補助動作の制御までの工程は、図１６に関連して説明された工程と同様である。したがって、本実施形態では、第２送信部４８０からの第３信号の送信を中心に、図２、図４、図１３、図１４、図１６、図２０乃至図２３を用いて、第５実施形態に係る光学フィルタ部４３に対する制御が説明される。
【０１５３】
第２受信部４４０は、ビット列Ｐ１を含む同期信号、ビット列Ｐ９を含む同期信号、ビット列Ｐ４を含む同期信号及びビット列Ｐ１２を含む同期信号を順に受信している。図１４に関連して説明された如く、ビット列Ｐ１を含む同期信号及びビット列Ｐ４を含む同期信号は、左眼フレーム画像ＦＬの表示の開始に同期して受信される。ビット列Ｐ９を含む同期信号及びビット列Ｐ１２を含む同期信号は、右眼フレーム画像ＦＲの表示の開始に同期して受信される。
【０１５４】
眼鏡装置４Ｂの第２生成部４５３は、ビット列Ｐ１を含む同期信号、ビット列Ｐ９を含む同期信号、ビット列Ｐ４を含む同期信号及びビット列Ｐ１２を含む同期信号の受信時刻ｔｒに左眼フィルタ４１又は右眼フィルタ４２を透過する光量を増大させるタイミング信号７５Ｌ，７５Ｒを生成する。また、同期信号の各ビット列Ｐ１，Ｐ９，Ｐ４，Ｐ１２に割り当てられた１フレーム画像当たりの表示時間から算出された時刻ｔｄ及び同期信号の各受信時刻ｔｒに基づいて算出された時刻ｔｄに、左眼フィルタ４１又は右眼フィルタ４２を透過する光量を減少させるタイミング信号７６Ｌ，７６Ｒを生成する。
【０１５５】
光学フィルタ制御部４５４は、第２生成部４５３によって生成されたタイミング信号７５Ｌ，７６Ｌ，７５Ｒ，７６Ｒに従って、光学フィルタ部４３を制御する。左眼フィルタ４１は、タイミング信号７５Ｌに従って、左眼へ透過する光量を増大させ、タイミング信号７６Ｌに従って、左眼へ透過する光量を低減させる。同様に、右眼フィルタ４２は、タイミング信号７５Ｒに従って、右眼へ透過する光量を増大させ、タイミング信号７６Ｒに従って、右眼へ透過する光量を低減させる。
【０１５６】
第２送信制御部４５５は、左眼フィルタ４１又は右眼フィルタ４２を透過する光量を減少させるタイミング信号７６Ｌ，７６Ｒに対応する（同期する）第３信号７８を第２送信部４８０に送信させる。かくして、第３信号７８は、時刻ｔｄに第２送信部４８０から送信されることとなる。
【０１５７】
図２４は、第５実施形態に係る照明制御装置２０Ａが行う光源２１に対する明滅制御を概略的に示すタイミングチャートである。図２４のセクション（Ａ）は、第１受信部２３０が受信する信号を示す。図２４のセクション（Ｂ）は、表示部３１０の輝度を示す。図２４のセクション（Ｃ）は、第１生成部２４２が生成するオン・オフ信号を示す。図２４のセクション（Ｄ）は、光源２１の輝度を示す。図２、図４、図１３乃至図１５並びに図２０乃至図２４を用いて、光源２１に対する明滅制御が説明される。
【０１５８】
第１受信部２３０は、図１５に関連して説明された如く、ビット列Ｐ１を含む同期信号、ビット列Ｐ９を含む同期信号、ビット列Ｐ４を含む同期信号及びビット列Ｐ１２を含む同期信号を受信する。図１４に関連して説明された如く、ビット列Ｐ１を含む同期信号及びビット列Ｐ４を含む同期信号は、左眼フレーム画像ＦＬの表示の開始に同期して受信される。ビット列Ｐ９を含む同期信号及びビット列Ｐ１２を含む同期信号は、右眼フレーム画像ＦＲの表示の開始に同期して受信される。また、第１受信部２３０は、各同期信号を受信する間に、図２３に関連して説明された如く、眼鏡装置４Ｂの第２送信部４８０から送信された第３信号７８を受信する。尚、第３信号７８は、同期信号と異なる波形を有することが好ましい。
【０１５９】
照明制御装置２０Ａの第１解析部２４１は、ビット列Ｐ１を含む同期信号、ビット列Ｐ９を含む同期信号、ビット列Ｐ４を含む同期信号及びビット列Ｐ１２を含む同期信号の受信時刻ｔｒを測定する。また、第１解析部２４１は、第３信号７８の受信時刻ｔｂ（第３信号７８の送信時刻ｔｄと略同時刻）を測定する。第１解析部２４１は、同期信号の受信時刻ｔｒから第３信号７８の受信時刻ｔｂまでの期間を、光源２１を消灯させる第１期間として決定する。また、第１解析部２４１は、第３信号７８の受信時刻ｔｂから次の同期信号を受信する時刻ｔｒまでの期間を、光源２１を点灯させる第２期間として決定する。
【０１６０】
第１生成部２４２は、第３信号の受信時刻ｔｂにオン信号７３を生成し、同期信号の受信時刻ｔｒにオフ信号７４を生成する。光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１６１】
図２３及び図２４に関連して説明された一連の動作を通じて、図２に関連して説明された表示パネル３１中のフレーム画像ＦＬ，ＦＲの表示及び切り換え、光源２１及び光学フィルタ部４３の間の同期が達成される。
【０１６２】
第５実施形態に係る原理は、第１実施形態及び第２実施形態に関連して説明された表示装置３Ａと眼鏡装置４Ａとの間の同期信号の通信手法を用いても、同様に実現可能であることは明らかである。また、第４実施形態に関連して説明された表示装置３Ａと眼鏡装置４Ａとの間の同期信号の通信手法を用いても、同様に実現可能である。第４実施形態に関連して説明された表示装置３Ａと眼鏡装置４Ａとの間の同期信号の通信手法が用いられる場合、第３信号７８は、同期信号と異なる種類の信号としてもよい。例えば、同期信号がＲＦ信号である場合、第３信号７８は、赤外線信号であってもよい。代替的に、同期信号が赤外線信号である場合、第３信号７８は、同期信号であってもよい。照明制御装置２０Ａの第１受信部２３０は、例えば、ＲＦ信号用の受信素子及び赤外線信号用の受信素子を用いて実現されてもよい。かくして、表示装置３Ａから照明制御装置２０Ａへ送信される同期信号と、眼鏡装置４Ｂから照明制御装置２０Ａへ送信される第３信号との間の混信が好適に防がれることとなる。
【０１６３】
（第６実施形態）
以下に、第６実施形態に係る照明システム１Ｂ及び眼鏡装置４Ａが説明される。第６実施形態において、第１実施形態乃至第５実施形態とは異なり、光源２１に対する明滅制御は、表示装置３Ａの表示部３１０の輝度に関する輝度情報に基づき実行される。以下に、第１実施形態乃至第５実施形態に係る照明システム１Ａ及び眼鏡装置４Ａとの相違点を中心に、第６実施形態に係る照明システム１Ｂ及び眼鏡装置４Ａが説明される。
【０１６４】
図２５は、第６実施形態に係る照明システム１Ｂ及び眼鏡装置４Ａを概略的に示す。第６実施形態に用いられる照明システム１Ｂは、第１実施形態乃至第５実施形態に用いられた表示装置３Ａに加えて、照明装置２Ｂを備える。照明装置２Ｂは、表示装置３Ａの表示パネル３１全体の輝度を検出する輝度センサ９１を備える。図２に関連して説明された光源２１の明滅制御は、輝度センサ９１が検出する表示パネルの輝度に関する輝度情報に基づき実行される。
【０１６５】
図２６は、第６実施形態に係る照明装置２Ｂ及び照明装置２Ｂに組み込まれた照明制御装置のハードウェア構成を概略的に示すブロック図である。図２５及び図２６を用いて、図５に関連して説明された照明装置２Ａ及び照明装置２Ａに組み込まれた照明制御装置のハードウェア構成との相違点が説明される。
【０１６６】
照明装置２Ｂは、光源２１に加えて、照明制御装置２０Ｂを含む。照明制御装置２０Ｂは、ＣＰＵ２４、メモリ２５、クロック２６及び受信素子２３に加えて、輝度センサ９１を備える。ＣＰＵ２４、メモリ２５、クロック２６及び受信素子２３の動作や機能は、図５に関連して説明されたものと同様である。
【０１６７】
図２５に関連して説明された如く、輝度センサ９１は、表示装置３Ａの表示パネル３１全体の輝度を検出する。ＣＰＵ２４は、受信素子２３及び輝度センサ９１から出力された信号に従い、照明制御装置２０Ｂの明滅制御を実行する。
【０１６８】
図２７は、照明装置２Ｂの機能構成を概略的に示すブロック図である。図２５乃至図２７を用いて、図６に関連して説明された照明装置２Ａ及び照明制御装置２０Ａの機能構成との相違点が説明される。
【０１６９】
照明装置２Ｂは、第１受信部２３０、第１解析部２４１、第１記憶部２５０、第１生成部２４２、光源制御部２４３及び光源２１に加えて、検出部９１０を含む。第１受信部２３０、第１解析部２４１、第１記憶部２５０、第１生成部２４２、光源制御部２４３及び光源２１の動作や機能は、図６に関連して説明されたものと同様である。
【０１７０】
検出部９１０は、表示装置３Ａの表示部３１０全体の輝度を検出する。第１解析部２４１は、第１受信部２３０が受信した信号及び検出部９１０からの信号に基づき、光源２１が消灯される第１期間と光源２１が点灯される第２期間とを決定する。
【０１７１】
図２８は、第６実施形態に係る照明制御装置２０Ｂが行う光源２１に対する明滅制御を概略的に説明する図である。図２８のセクション（Ａ）は、表示部３１０の輝度の変動を示す。図２８のセクション（Ｂ）は、第１生成部２４２が生成するオン・オフ信号を示す。図２８のセクション（Ｃ）は、光源２１の輝度を示す。図２、図６、図８、図２６乃至図２８を用いて、光源２１に対する明滅制御が説明される。
【０１７２】
上述の如く、検出部９１０は、表示部３１０の輝度を検出する。したがって、本実施形態において、検出部９１０は、表示部３１０の輝度に関する情報を取得する取得部としての機能を担う。図２に関連して説明された如く、表示部３１０の輝度は、左眼フレーム画像ＦＬ又は右眼フレーム画像ＦＲが表示されている間、高い値を示し、左眼フレーム画像ＦＬと右眼フレーム画像ＦＲとの間での切り換えが生じている間の非表示期間中、低い値を示す。第１記憶部２５０は、表示部３１０の輝度に対する閾値ＴＨを格納している。第１解析部２４１は、閾値ＴＨと検出部９１０によって検出された輝度の値とを比較する。
【０１７３】
第１解析部２４１は、輝度の値が、閾値ＴＨを下回った時刻ｔ３及び上回った時刻ｔ４を測定する。第１解析部２４１は、輝度の値が閾値ＴＨを上回っている期間（時刻ｔ４から時刻ｔ３までの期間）を、光源２１を消灯させる第１期間として決定する。また、第１解析部２４１は、輝度の値が閾値ＴＨを上回っている期間（時刻ｔ４から時刻ｔ３までの期間）を、光源２１を点灯させる第２期間として決定する。第１生成部２４２は、時刻ｔ３において、光源２１の点灯を開始させるオン信号７３を生成する。また、第１生成部２４２は、時刻ｔ３において、光源２１の消灯させるオフ信号７４を生成する。光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１７４】
表示装置３Ａと眼鏡装置４Ａとの間の通信は、第１実施形態乃至第５実施形態に関連して説明された手法に従って実行されてもよい。かくして、図２に関連して説明された表示パネル３１中のフレーム画像ＦＬ，ＦＲの表示及び切り換え、光源２１及び光学フィルタ部４３の間の同期が達成される。
【０１７５】
（第７実施形態）
以下に、第７実施形態に係る照明システム１Ｃ及び眼鏡装置４Ａが説明される。第７実施形態において、第１実施形態乃至第６実施形態とは異なり、光源２１の点灯期間が調整される。尚、第７実施形態において、表示装置３Ａ、照明装置２Ｃ及び眼鏡装置４Ａの間の通信は、第１実施形態乃至第６実施形態に関連して説明された手法に従い実行される。以下に、第７実施形態として、光源２１の点灯期間の調整手法が説明される。
【０１７６】
図２９は、第７実施形態に係る照明システム１Ｃ及び眼鏡装置４Ａを概略的に示す。第７実施形態において、リモートコントローラ６が光源２１の点灯期間の調整に用いられる。視聴者は、表示パネル３１上の映像を明るい環境で視聴することを望むとき、或いは、暗い環境で視聴することを望むとき、リモートコントローラ６を操作し、光源２１の点灯期間の長さを調整するための第４信号を送信することができる。また、表示装置３Ａが提供する３次元映像を視聴していない他の使用者は、表示装置３Ａが置かれた空間Ｒ内の明暗の程度を変化させることを望むとき、リモートコントローラ６を操作し、光源２１の点灯期間の長さを調整するための第４信号を送信することができる。リモートコントローラ６は、視聴者或いは他の使用者の要求が入力されるためのボタン６１を含む。
【０１７７】
照明装置２Ｃに組み込まれる照明制御装置は、第４信号を受信するための要求受信素子２７を含む。表示装置３Ａから送信される信号がＲＦ信号である場合、第４信号は赤外線信号であってもよい。表示装置３Ａから送信される信号が赤外線信号である場合、第４信号はＲＦ信号であってもよい。このように表示装置３Ａからの信号とリモートコントローラ６からの信号とを異なる種類の信号とすることによって、好適に、これら信号間の混信が防がれることとなる。
【０１７８】
本実施形態において、リモートコントローラ６を用いて、視聴者及び他の使用者の要求が照明装置２Ｃへ伝達されるが、視聴者及び他の使用者の要求を入力並びに出力可能に形成された眼鏡装置４Ａや表示装置３Ａを用いて、視聴者及び他の使用者の要求が照明装置２Ｃへ伝達されてもよい。
【０１７９】
図３０は、第７実施形態に係る照明装置２Ｃ及び照明装置２Ｃに組み込まれた照明制御装置のハードウェア構成を概略的に示すブロック図である。図２９及び図３０を用いて、図５に関連して説明された照明装置２Ａ及び照明装置２Ａに組み込まれた照明制御装置のハードウェア構成との相違点が説明される。
【０１８０】
照明装置２Ｃは、光源２１及び照明制御装置２０Ｃを含む。照明制御装置２０Ｃは、ＣＰＵ２４、メモリ２５、クロック２６及び受信素子２３に加えて、要求受信素子２７を備える。ＣＰＵ２４、メモリ２５、クロック２６及び受信素子２３の動作や機能は、図５に関連して説明されたものと同様である。
【０１８１】
図２９に関連して説明された如く、要求受信素子２７は、リモートコントローラ６からの第４信号を受信する。ＣＰＵ２４は、受信素子２３及び要求受信素子２７が受信した信号に従い、照明制御装置２０Ｃの明滅制御を実行する。
【０１８２】
図３１は、照明装置２Ｃの機能構成を概略的に示すブロック図である。図２９乃至図３１を用いて、図６に関連して説明された照明装置２Ａ及び照明制御装置２０Ａの機能構成との相違点が説明される。
【０１８３】
照明装置２Ｃは、第１受信部２３０、第１解析部２４１、第１記憶部２５０、第１生成部２４２、光源制御部２４３及び光源２１に加えて、要求受信部２７０を含む。第１受信部２３０、第１解析部２４１、第１記憶部２５０、第１生成部２４２、光源制御部２４３及び光源２１の動作や機能は、図６に関連して説明されたものと同様である。
【０１８４】
要求受信部２７０は、リモートコントローラ６からの第４信号を受信する。第１解析部２４１は、第１受信部２３０が受信した信号及び要求受信部２７０が受信した第４信号に基づき、光源２１が消灯される第１期間と光源２１が点灯される第２期間とを決定する。
【０１８５】
図３２は、第７実施形態に係る照明制御装置２０Ｃが行う光源２１に対する明滅制御を概略的に示すタイミングチャートである。図３２のセクション（Ａ）は、表示装置３Ａから送信される同期信号を示す。図３２のセクション（Ｂ）は、照明制御装置２０Ｃの第１生成部２４２が生成するオン・オフ信号を示す。図３２のセクション（Ｃ）は、光源２１の輝度を示す。図３２のセクション（Ｄ）は、左眼フィルタ４１を透過し、視聴者の左眼へ到達する光量の変動を示す。図３２のセクション（Ｅ）は、右眼フィルタ４２を透過し、視聴者の右眼へ到達する光量の変動を示す。図４、図１３、図１７及び図１８並びに図２９乃至図３２を用いて、第７実施形態に係る照明制御装置２０Ｃが行う光源２１に対する明滅制御が説明される。
【０１８６】
図３２のセクション（Ａ）に示される如く、表示装置３Ａの表示部３１０は、第４実施形態と同様に、ビット列Ｐ１を含む同期信号、ビット列Ｐ２を含む同期信号、ビット列Ｐ９を含む同期信号及びビット列Ｐ１０を含む同期信号を送信している。図１８に関連して説明された如く、ビット列Ｐ１を含む同期信号及びビット列Ｐ９を含む同期信号は、フレーム画像ＦＬ，ＦＲの表示の開始に同期する第１同期信号として用いられる。ビット列Ｐ１を含む同期信号は、左眼フレーム画像ＦＬの表示の開始に同期し、ビット列Ｐ９を含む同期信号は、右眼フレーム画像ＦＲの表示の開始に同期する。同様に、ビット列Ｐ２を含む同期信号及びビット列Ｐ１０を含む同期信号は、フレーム画像ＦＬ，ＦＲの表示の終了に同期する第２同期信号として用いられる。ビット列Ｐ２を含む同期信号は、左眼フレーム画像ＦＬの表示の終了に同期し、ビット列Ｐ１０を含む同期信号は、右眼フレーム画像ＦＲの表示の終了に同期する。第４実施形態に関連して説明された如く、光学フィルタ部４３は、各同期信号に従って、視聴者の左眼又は右眼に透過する光量を増減させる。
【０１８７】
照明制御装置２０Ｃの第１解析部２４１は、第４実施形態に関連して説明された如く、第１同期信号（ビット列Ｐ１又はビット列Ｐ９を含む同期信号）の受信時刻ｔ１及び第２同期信号（ビット列Ｐ２又はビット列Ｐ１０を含む同期信号）の受信時刻ｔ２を測定する。
【０１８８】
リモートコントローラ６からの第４信号は、視聴者又は他の使用者の要求に関する第４情報を含む。本実施形態において、第１同期信号の受信時刻ｔ１に対する遅延時間ＴＡが第４情報として用いられる。第１解析部２４１は、受信時刻ｔ１に遅延時間ＴＡを加算し、オフ信号７４を生成する時刻ｔａを算出する。第１解析部２４１は、算出された時刻ｔａから第２同期信号を受信した時刻ｔ２までの期間を、光源２１を消灯させる第１期間として決定する。また、第１解析部２４１は、第２同期信号を受信した時刻ｔ２から直後の算出された時刻ｔａまでの期間を、光源２１を点灯させる第２期間として決定する。
【０１８９】
第１生成部２４２は、第２同期信号が受信された時刻ｔ２にオン信号７３を生成し、算出された時刻ｔａにオフ信号７４を生成する。光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１９０】
図３２に示される如く、遅延時間ＴＡの分だけ、表示装置３Ａが置かれた空間Ｒは明るくなる。したがって、視聴者又は他の使用者は、リモートコントローラ６を操作し、遅延時間ＴＡを増大又は減少させることにより、空間Ｒを明るく又は暗くすることができる。
【０１９１】
また、時刻ｔ１から時刻ｔａまでの間、光源２１は点灯している一方で、左眼フィルタ４１又は右眼フィルタ４２は、左眼又は右眼へ透過する光量を増大させている。したがって、視聴者は、リモートコントローラ６を操作し、遅延時間ＴＡを増大又は減少させることにより、左眼フレーム画像ＦＬ及び右眼フレーム画像ＦＲの視聴環境の明暗の程度を調節することができる。
【０１９２】
本実施形態の説明において、第４実施形態に関連して説明された同期信号の通信手法が用いられたが、他の実施形態に関連して説明された同期信号の通信手法が、本実施形態に適用されてもよい。例えば、第１実施形態及び第２実施形態において用いられた第１信号７１（図９参照）及び第２信号７７（図１１参照）に含まれる情報から算出されるオフ信号の生成時刻にリモートコントローラ６から送信される第４信号が含む遅延時間を加算することにより、図３２に関連して説明された明滅制御は実現される。また、第３実施形態で用いられた同期信号が含む情報から算出されるオフ信号の生成時刻にリモートコントローラ６から送信される第４信号が含む遅延時間を加算することにより、図３２に関連して説明された明滅制御は実現される。更に、第５実施形態で用いられた眼鏡装置４Ａからの第３信号の受信時刻に第４信号が含む遅延時間を加算することにより、図３２に関連して説明された明滅制御は実現される。また、第６実施形態で用いられた表示装置３Ａからの輝度信号と輝度に対して定められた閾値との比較により決定されたオフ信号の生成時刻にリモートコントローラ６から送信される第４信号が含む遅延時間を加算することにより、図３２に関連して説明された明滅制御は実現される。
【０１９３】
（第８実施形態）
以下に、第８実施形態に係る照明システム１Ｃ及び眼鏡装置４Ａが説明される。第８実施形態は、第７実施形態とは異なり、光源２１の点灯期間の長さは変更されず、光源２１の点灯期間のタイミングが変更される。尚、第８実施形態に係る照明システム１Ｃ、眼鏡装置４Ａ及びリモートコントローラ６は、第７実施形態関連して説明された照明システム１Ｃ、眼鏡装置４Ａ及びリモートコントローラ６と略同様であり、以下に、第７実施形態との相違点が中心に説明される。
【０１９４】
図３３は、第７実施形態に係る照明制御装置２０Ｃが行う光源２１に対する明滅制御を概略的に示すタイミングチャートである。図３３のセクション（Ａ）は、表示装置３Ａから送信される同期信号を示す。図３３のセクション（Ｂ）は、照明制御装置２０Ｃの第１生成部２４２が生成するオン・オフ信号を示す。図３２のセクション（Ｃ）は、光源２１の輝度を示す。図３２のセクション（Ｄ）は、左眼フィルタ４１を透過し、視聴者の左眼へ到達する光量の変動を示す。図３２のセクション（Ｅ）は、右眼フィルタ４２を透過し、視聴者の右眼へ到達する光量の変動を示す。図４、図１３、図１７、図１８、図２９乃至図３１並びに図３３を用いて、第８実施形態に係る照明制御装置２０Ｃが行う光源２１に対する明滅制御が説明される。
【０１９５】
図３３のセクション（Ａ）に示される如く、表示装置３Ａの表示部３１０は、第７実施形態と同様に、ビット列Ｐ１を含む同期信号、ビット列Ｐ２を含む同期信号、ビット列Ｐ９を含む同期信号及びビット列Ｐ１０を含む同期信号を送信している。図１８に関連して説明された如く、ビット列Ｐ１を含む同期信号及びビット列Ｐ９を含む同期信号は、フレーム画像ＦＬ，ＦＲの表示の開始に同期する第１同期信号として用いられる。ビット列Ｐ１を含む同期信号は、左眼フレーム画像ＦＬの表示の開始に同期し、ビット列Ｐ９を含む同期信号は、右眼フレーム画像ＦＲの表示の開始に同期する。同様に、ビット列Ｐ２を含む同期信号及びビット列Ｐ１０を含む同期信号は、フレーム画像ＦＬ，ＦＲの表示の終了に同期する第２同期信号として用いられる。ビット列Ｐ２を含む同期信号は、左眼フレーム画像ＦＬの表示の終了に同期し、ビット列Ｐ１０を含む同期信号は、右眼フレーム画像ＦＲの表示の終了に同期する。第４実施形態に関連して説明された如く、光学フィルタ部４３は、各同期信号に従って、視聴者の左眼又は右眼に透過する光量を増減させる。
【０１９６】
照明制御装置２０Ｃの第１解析部２４１は、第４実施形態に関連して説明された如く、第１同期信号（ビット列Ｐ１又はビット列Ｐ９を含む同期信号）の受信時刻ｔ１及び第２同期信号（ビット列Ｐ２又はビット列Ｐ１０を含む同期信号）の受信時刻ｔ２を測定する。
【０１９７】
リモートコントローラ６からの第５信号は、視聴者又は他の使用者の要求に関する第５情報を含む。本実施形態において、第１同期信号の受信時刻ｔ１及び第２同期信号ｔ２に対する遅延時間ＴＡが第５情報として用いられる。第１解析部２４１は、第１同期信号の受信時刻ｔ１に遅延時間ＴＡを加算し、オフ信号７４を生成する時刻ｔａを算出する。また、第１解析部２４１は、第２同期信号の受信時刻ｔ２に遅延時間ＴＡを加算し、オン信号７３を生成する時刻ｔｂを算出する。第１解析部２４１は、第１同期信号の受信時刻ｔ１に基づき算出された時刻ｔａから第２同期信号の受信時刻ｔ２に基づき算出された時刻ｔｂまでの期間を、光源２１を消灯させる第１期間として決定する。また、第１解析部２４１は、続く時刻ｔｂから時刻ｔａまでの期間を、光源２１を点灯させる第２期間として決定する。
【０１９８】
第１生成部２４２は、第２同期信号の受信時刻ｔ２に基づき算出された時刻ｔｂにオン信号７３を生成し、第１同期信号の受信時刻ｔ１に基づき算出された時刻ｔａにオフ信号７４を生成する。光源制御部２４３は、第１生成部２４２によって生成されたオン信号７３及びオフ信号７４に従って、光源２１を制御する。光源２１は、第１解析部２４１によって決定された第１期間の間、消灯し、第２期間の間、点灯する。
【０１９９】
図３３に示される如く、遅延時間ＴＡは、オン信号７３及びオフ信号７４の生成時刻をともに遅らせるので、光源２１の点灯時間の長さは変化しない。したがって、表示装置３Ａが提供する３次元映像を視聴する視聴者以外の使用者は、空間Ｒの明るさの変化をほとんど知覚しない。
【０２００】
時刻ｔ１から時刻ｔａまでの間、光源２１は点灯している一方で、左眼フィルタ４１又は右眼フィルタ４２は、左眼又は右眼へ透過する光量を増大させている。したがって、視聴者は、リモートコントローラ６を操作し、遅延時間ＴＡを増大又は減少させることにより、左眼フレーム画像ＦＬ及び右眼フレーム画像ＦＲの視聴環境の明暗の程度を調節することができる。
【０２０１】
また、本実施形態は、複数の視聴者が、表示装置３Ａが表示する３次元映像を視聴するための環境を別個独立に調節することを可能にする。視聴者のうち１人が３次元映像の視聴環境を調整したとき、他の視聴者は、当該視聴者の視聴環境の調整の影響を受けることなく３次元映像の視聴を続けることができる。
【０２０２】
本実施形態の説明において、第４実施形態に関連して説明された同期信号の通信手法が用いられたが、他の実施形態に関連して説明された同期信号の通信手法が、本実施形態に適用されてもよい。他の実施形態において、照明制御装置２０Ｃの第１解析部２４１が同期信号、第１信号乃至第３信号や輝度信号に基づき測定或いは算出したオン信号及びオフ信号の生成時刻にリモートコントローラ６から送信される第５信号が含む遅延時間を加算することにより、図３３に関連して説明された明滅制御は実現される。
【０２０３】
上記の一連の実施形態において、照明制御装置２０Ａ，２０Ｂ，２０Ｃの第１解析部２４１が決定した第１期間の間、光源２１は連続的に消灯しているが、第１期間のうち一部の期間にのみ光源２１が消灯してもよい。同様に、照明制御装置２０Ａ，２０Ｂ，２０Ｃの第１解析部２４１が決定した第２期間の間、光源２１は連続的に点灯しているが、第２期間のうち一部の期間にのみ光源２１が点灯してもよい。
【０２０４】
上記の一連の実施形態に関連して説明された新規且つ有利な特徴は、他の様々な改良や変更とともに利用可能である。例えば、表示装置３Ａに画像識別技術を搭載し、画像識別技術を用いて、視聴者が３次元映像を視聴しているか否かの情報を照明制御装置２０Ａ，２０Ｂ，２０Ｃへ送信してもよい。視聴者が３次元映像を視聴していないならば、照明制御装置２０Ａ，２０Ｂ，２０Ｃは、連続的に光源２１を点灯し、視聴者が３次元映像を視聴している間、照明制御装置２０Ａ，２０Ｂ，２０Ｃは、上述の実施形態のいずれかの手法を用いて、３次元映像の切り換えと同期して光源２１を点灯させることもできる。
【０２０５】
上記の一連の実施形態に関連して説明された表示装置３Ａは、左眼フレーム画像ＦＬと右眼フレーム画像ＦＲとを交互に表示したが、他の実施形態において、左眼フレーム画像ＦＬ及び／又は右眼フレーム画像ＦＲが複数枚連続して表示されてもよい。この場合、眼鏡装置４Ａ，４Ｂは、左眼フレーム画像ＦＬ及び右眼フレーム画像ＦＲの表示に併せて、左眼フィルタ４１及び右眼フィルタ４２を動作させる。このような実施形態においても、照明制御装置２０Ａ，２０Ｂ，２０Ｃは、フレーム画像間の切り換えに同期して光源２１を点灯させ、左眼フレーム画像ＦＬ又は右眼フレーム画像ＦＲの表示に同期して光源２１を消灯させる。
【０２０６】
上述された実施形態は、以下の構成を主に備える。
【０２０７】
上述の実施形態の一の局面に係る照明制御装置は、表示装置が表示する３次元映像のフレーム画像の切り換えが行われる間における前記フレーム画像が表示されない非表示期間のタイミングに関するタイミング情報を取得する取得部と、前記タイミング情報に基づき、前記非表示期間に同期して、前記表示装置が置かれた空間を照明する光源を点灯させ、前記フレーム画像が表示される表示期間に同期して、前記光源を消灯させる制御部と、を備えることを特徴とする。
【０２０８】
上記構成によれば、照明制御装置の取得部は、表示装置が表示する３次元映像のフレーム画像の切り換えが行われる間におけるフレーム画像が表示されない非表示期間のタイミングタイミング情報を取得する。照明制御装置の制御部は、タイミング情報に基づき、非表示期間に同期して、表示装置が置かれた空間を照明する光源を点灯させる。したがって、３次元映像を視聴していない使用者は、表示装置が置かれた空間を明るく感じることとなる。照明制御装置の制御部は、タイミング情報に基づき、フレーム画像が表示される表示期間に同期して、光源を消灯させる。したがって、視聴者は、フレーム画像を視聴している間、表示装置が置かれた空間を暗く感じることとなる。この結果、視聴者は高い臨場感を以て、３次元映像を享受することとなる。かくして、３次元映像を視聴する視聴者及びその他の使用者に好適な照明環境が提供される。
【０２０９】
上記構成において、前記取得部は、前記フレーム画像の表示に同期する同期信号を受信する受信部を含み、前記制御部は、前記同期信号に基づき、前記光源を消灯させる第１期間と、前記光源を点灯させる第２期間と、を決定することが好ましい。
【０２１０】
上記構成によれば、照明制御装置の受信部は、フレーム画像の表示に同期する同期信号を受信する。この結果、照明制御装置は、フレーム画像の切り換えのタイミングに関するタイミング情報を取得する。制御部は、同期信号に基づき、光源を消灯させる第１期間と、光源を点灯させる第２期間とを決定し、フレーム画像の表示に同期して、表示装置が置かれた空間を照明する光源を消灯し、フレーム画像の切り換えに同期して、表示装置が置かれた空間を照明する光源を点灯する。かくして、３次元映像を視聴する視聴者及びその他の使用者に好適な照明環境が提供される。
【０２１１】
上記構成において、前記受信部は、１フレーム画像当たりの表示時間に関する第１情報を含む第１信号を受信し、前記制御部は、前記受信部が前記同期信号を受信してから前記１フレーム画像当たりの表示時間が経過するまでの期間を前記第１期間として決定し、該第１期間中に前記光源を消灯させることが好ましい。
【０２１２】
上記構成によれば、受信部は、１フレーム画像当たりの表示時間に関する第１情報を含む第１信号を受信する。制御部は、受信部が同期信号を受信してから１フレーム画像当たりの表示時間が経過するまでの期間を第１期間として決定する。第１期間中に、光源が消灯されるので、視聴者は、表示装置が置かれた空間を暗く感じることとなる。この結果、視聴者は高い臨場感を以て、３次元映像を享受することとなる。
【０２１３】
上記構成において、前記制御部は、前記１フレーム画像当たりの表示時間が経過した後、前記受信部が次の同期信号を受信するまでの期間を前記第２期間として決定し、該第２期間中に前記光源を点灯させることが好ましい。
【０２１４】
上記構成によれば、制御部は、１フレーム画像当たりの表示時間が経過した後、受信部が次の同期信号を受信するまでの期間を第２期間として決定する。制御部は、第２期間中に光源を点灯させるので、３次元映像を視聴していない使用者は、表示装置が置かれた空間を明るく感じることとなる。
【０２１５】
上記構成において、前記受信部は、前記３次元映像のフレームレートに関する第２情報を含む第２信号を受信し、前記制御部は、前記同期信号及び前記第２情報に基づき、前記第１期間及び前記第２期間を決定し、前記第１期間中に前記光源を消灯させ、前記第２期間中に前記光源を点灯させるように前記光源を制御することが好ましい。
【０２１６】
上記構成によれば、受信部は、フレームレートに関する第２情報を含む第２信号を受信する。制御部は、第２情報と同期信号の受信に基づき、フレーム画像の切り換えのタイミングに関するタイミング情報を取得し、第１期間と第２期間とを決定する。制御部は、第１期間において、表示期間に同期して、表示装置が置かれた空間を照明する光源を消灯する。また、制御部は、第２期間において、非表示期間に同期して、表示装置が置かれた空間を照明する光源を点灯させる。かくして、３次元映像を視聴する視聴者及びその他の使用者に好適な照明環境が提供される。
【０２１７】
上記構成において、前記同期信号は、１フレーム画像当たりの表示時間に関する第１情報を含み、前記制御部は、前記受信部が前記同期信号を受信してから前記１フレーム画像当たりの表示時間が経過するまでの期間を前記第１期間として決定し、該第１期間中に前記光源を消灯させることが好ましい。
【０２１８】
上記構成によれば、受信部は、１フレーム画像当たりの表示時間に関する第１情報を含む同期信号を受信する。制御部は、受信部が同期信号を受信してから１フレーム画像当たりの表示時間が経過するまでの期間を第１期間として決定する。第１期間中に、光源が消灯されるので、視聴者は、表示装置が置かれた空間を暗く感じることとなる。この結果、視聴者は高い臨場感を以て、３次元映像を享受することとなる。
【０２１９】
上記構成において、前記同期信号は、前記１フレーム画像当たりの表示期間が経過した後、次のフレーム画像の表示が開始されるまでの時間に関する情報を含み、前記制御部は、前記１フレーム画像当たりの表示期間が終了してから前記次のフレーム画像の表示が開始されるまでの時間を前記第２期間として決定し、該第２期間中に前記光源を点灯することが好ましい。
【０２２０】
上記構成によれば、同期信号は、前記１フレーム画像当たりの表示期間が経過した後、次のフレーム画像の表示が開始されるまでの時間に関する情報を含む。制御部は、前記１フレーム画像当たりの表示期間が経過した後、次のフレーム画像の表示が開始されるまでの期間を第２期間として決定する。また、制御部は、第２期間中に、光源を点灯させるので、３次元映像を視聴していない使用者は、表示装置が置かれた空間を明るく感じることとなる。かくして、３次元映像を視聴する視聴者及びその他の使用者に好適な照明環境が提供される。
【０２２１】
上記構成において、前記同期信号は、前記フレーム画像の表示の開始に同期する第１同期信号と、前記フレーム画像の表示の終了に同期する第２同期信号と、を含み、前記制御部は、前記受信部が前記第１同期信号を受信してから前記第２同期信号を受信するまでの期間を前記第１期間として決定し、該第１期間中に前記光源を消灯させることが好ましい。
【０２２２】
上記構成によれば、制御部は、受信部がフレーム画像の表示の開始に同期する第１同期信号を受信してからフレーム画像の表示の終了に同期する第２同期信号を受信するまでの期間を第１期間として決定する。かくして、視聴者は、フレーム画像を視聴している間、光源が消灯されるので、表示装置が置かれた空間を暗く感じることとなる。この結果、視聴者は高い臨場感を以て、３次元映像を享受することとなる。
【０２２３】
上記構成において、前記制御部は、前記受信部が前記第２同期信号を受信してから次の第１同期信号を受信するまでの期間を前記第２期間として決定し、該第２期間中に、前記光源を点灯させることが好ましい。
【０２２４】
上記構成によれば、制御部は、受信部が第２同期信号を受信してから次の第１同期信号を受信するまでの期間を第２期間として決定する。また、制御部は、第２期間中に、光源を点灯させるので、３次元映像を視聴していない使用者は、表示装置が置かれた空間を明るく感じることとなる。第２期間の間、視聴者の眼へ透過する光量は減少されているので、第２期間中に点灯された光源によって、視聴者が知覚する映像に与えられる影響が抑制される。かくして、３次元映像を視聴する視聴者及びその他の使用者に好適な照明環境が提供される。
【０２２５】
上記構成において、前記受信部は、前記表示装置が表示する前記３次元映像を、前記視聴者に３次元的に知覚させる光学フィルタ部を含む眼鏡装置から、前記フレーム画像の表示の開始に同期して視聴者の眼へ透過する光量を増大させるとともに、前記フレーム画像の表示の終了に同期して前記光量を減少させる立体視補助動作を行う前記光学フィルタ部が前記光量を減少させるタイミングに関する第３情報を含む第３信号を受信し、前記制御部は、前記同期信号を受信してから前記第３信号を受信するまでの期間を前記第１期間として決定し、該第１期間中に前記光源を消灯させることが好ましい。
【０２２６】
上記構成によれば、眼鏡装置は、視聴者に３次元的に映像を知覚させる立体視補助動作を行う光学フィルタ部を含む。立体視補助動作中、光学フィルタ部は、フレーム画像の表示の開始に同期して視聴者の眼へ透過する光量を増大させるとともに、フレーム画像の表示の終了に同期して光量を減少させる。制御部は、眼鏡装置から第５信号を受信する。第３信号は、光学フィルタ部が光量を減少させるタイミングに関する第３情報を含む。制御部は、同期信号を受信してから第３信号を受信するまでの期間を第１期間として決定する。かくして、視聴者は、フレーム画像を視聴している間、光源が消灯されるので、表示装置が置かれた空間を暗く感じることとなる。この結果、視聴者は高い臨場感を以て、３次元映像を享受することとなる。
【０２２７】
上記構成において、前記制御部は、前記第３信号を受信してから次の同期信号を受信するまでの期間を前記第２期間として決定し、該第２期間中に前記光源を点灯することが好ましい。
【０２２８】
上記構成によれば、制御部は、受信部が第３信号を受信してから同期信号を受信するまでの期間を第２期間として決定する。また、制御部は、第２期間中に、光源を点灯させるので、３次元映像を視聴していない使用者は、表示装置が置かれた空間を明るく感じることとなる。第２期間の間、視聴者の眼へ透過する光量は減少されているので、第２期間中に点灯された光源によって、視聴者が知覚する映像に与えられる影響が抑制される。かくして、３次元映像を視聴する視聴者及びその他の使用者に好適な照明環境が提供される。
【０２２９】
上記構成において、前記取得部は、前記３次元映像を表示する前記表示装置の表示部の輝度を検出する検出部を含み、前記制御部は、前記表示部の輝度が、該輝度に対して定められた閾値より高い期間を、前記光源を消灯させる第１期間と決定し、前記表示部の輝度が前記閾値より低い期間を、前記光源を点灯させる第２期間と決定することが好ましい。
【０２３０】
上記構成によれば、照明制御装置の検出部は、３次元映像を表示する表示装置の表示部の輝度に関する輝度を検出する。制御部は、表示部の輝度が、輝度に対して定められた閾値より高い期間を、光源を消灯させる第１期間と決定し、表示部の輝度が閾値より低い期間を、光源を点灯させる第２期間と決定する。かくして、３次元映像を視聴する視聴者及びその他の使用者に好適な照明環境が提供される。
【０２３１】
上記構成において、前記取得部は、前記第２期間の長さに対する前記視聴者の要求に関する第４情報を含む第４信号を受信する要求受信部を含み、前記制御部は、前記第４情報に基づき、前記光源の点灯時間の長さを調整することが好ましい。
【０２３２】
上記構成によれば、視聴者は、フレーム画像が表示されている間の空間の明暗の程度を調整することが可能となる。
【０２３３】
上記構成において、前記取得部は、前記同期信号を受信してから前記第２期間が開始するまでの長さに対する視聴者の要求に関する第５情報を含む第５信号を受信する要求受信部を含み、前記制御部は、前記第５情報に基づき、前記光源の点灯が開始するタイミングを調整することが好ましい。
【０２３４】
上記構成によれば、視聴者は、表示装置が置かれた空間に存する他の使用者に当該空間の明暗の程度の変化を知覚させることなく、フレーム画像が表示されている間の空間の明暗の程度を調整することが可能となる。
【０２３５】
上述の実施形態の他の局面に係る照明装置は、３次元映像を表示する表示装置が置かれた空間を照明する光源と、上記の照明制御装置と、を備えることを特徴とする。
【０２３６】
上記構成によれば、照明装置は、光源と上記の照明制御装置とを備えるので、３次元映像を視聴する視聴者及びその他の使用者に好適な照明環境が提供される。
【０２３７】
上述の実施形態の他の局面に係る照明システムは、３次元映像を表示する表示部を備える表示装置と、上記の照明装置と、を備えることを特徴とする。
【０２３８】
上記構成によれば、照明システムは、３次元映像を表示する表示部を備える表示装置と、上記の照明装置と、を備えるので、３次元映像を視聴する視聴者及びその他の使用者に好適な照明環境が提供される。
【０２３９】
上述の実施形態の他の局面に係る表示装置は、３次元映像を表示する表示部と、前記３次元映像のフレーム画像の切り換えが行われる間における前記フレーム画像が表示されない非表示期間に同期して、前記表示装置が置かれた空間を照明する光源を点灯させ、前記フレーム画像が表示される表示期間に同期して、前記光源を消灯させるように制御するための同期信号を上述の照明制御装置に送信する第１送信部と、を備えることを特徴とする。
【０２４０】
上記構成によれば、表示装置の第１送信部は、表示部に表示される３次元映像のフレーム画像の表示に同期する同期信号を照明制御装置に送信する。上記の照明制御装置は、フレーム画像の切り換えに同期して、前記表示装置が置かれた空間を照明する光源を点灯させ、前記フレーム画像の表示に同期して、前記光源を消灯させる制御を行う。したがって、３次元映像を視聴していない使用者は、表示装置が置かれた空間を明るく感じることとなるとともに、視聴者は、フレーム画像を視聴している間、表示装置が置かれた空間を暗く感じることとなる。この結果、視聴者は高い臨場感を以て、３次元映像を享受することとなる。かくして、３次元映像を視聴する視聴者及びその他の使用者に好適な照明環境が提供される。
【０２４１】
上述の実施形態の他の局面に係る眼鏡装置は、表示装置が表示する３次元映像のフレーム画像の表示に同期して、視聴者の眼へ透過する光量を調整し、前記３次元映像を視聴者に３次元的に知覚させる立体視補助動作を行う光学フィルタ部を備え、上述の照明制御装置が、前記光源を消灯させるタイミングに同期して、前記光学フィルタ部は、前記視聴者の前記眼へ透過する前記光量を増大させることを特徴とする。
【０２４２】
上記構成によれば、眼鏡装置は、上記の照明制御装置が光源を消灯させるタイミングに同期して、視聴者の眼へ透過する光量を増大させるので、視聴者は、フレーム画像を視聴している間、表示装置が置かれた空間を暗く感じることとなる。この結果、視聴者は高い臨場感を以て、３次元映像を享受することとなる。
【産業上の利用可能性】
【０２４３】
本発明は、空間を照明する照明設備に好適に利用可能である。
【図１】
2011108287.tif 000004
【図２】
2011108287.tif 000005
【図３】
2011108287.tif 000006
【図４】
2011108287.tif 000007
【図５】
2011108287.tif 000008
【図６】
2011108287.tif 000009
【図７】
2011108287.tif 000010
【図８】
2011108287.tif 000011
【図９】
2011108287.tif 000012
【図１０】
2011108287.tif 000013
【図１１】
2011108287.tif 000014
【図１２】
2011108287.tif 000015
【図１３】
2011108287.tif 000016
【図１４】
2011108287.tif 000017
【図１５】
2011108287.tif 000018
【図１６】
2011108287.tif 000019
【図１７】
2011108287.tif 000020
【図１８】
2011108287.tif 000021
【図１９】
2011108287.tif 000022
【図２０】
2011108287.tif 000023
【図２１】
2011108287.tif 000024
【図２２】
2011108287.tif 000025
【図２３】
2011108287.tif 000026
【図２４】
2011108287.tif 000027
【図２５】
2011108287.tif 000028
【図２６】
2011108287.tif 000029
【図２７】
2011108287.tif 000030
【図２８】
2011108287.tif 000031
【図２９】
2011108287.tif 000032
【図３０】
2011108287.tif 000033
【図３１】
2011108287.tif 000034
【図３２】
2011108287.tif 000035
【図３３】
2011108287.tif 000036
【国際調査報告】
2011108287.tif 000037
2011108287.tif 000038
2011108287.tif 000039
2011108287.tif 000040